(57)【要約】頭部搭載型拡張現実（ＡＲ）デバイスは、装着者の頭部の姿勢を追跡し、装着者の環境内のオブジェクトの３次元仮想表現を提供することができる。電磁（ＥＭ）追跡システムは、頭部または身体姿勢を追跡することができる。ハンドヘルドユーザ入力デバイスは、ＥＭ場を生成するＥＭエミッタを含むことができ、頭部搭載型ＡＲデバイスは、ＥＭ場を感知するＥＭセンサを含むことができる。センサからのＥＭ情報は、分析され、センサの場所および／または配向、それによって、装着者の姿勢を決定することができる。ＥＭエミッタおよびセンサは、時分割多重化（ＴＤＭ）または動的周波数調整を利用し、複数の周波数で動作してもよい。
2019522832.tif 000002
【特許請求の範囲】
【請求項１】
制御および迅速解除モジュールを有するベルトパックであって、
第１の外側筐体コンポーネントおよび第２の外側筐体コンポーネントであって、前記第１の外側筐体コンポーネントおよび前記第２の外側筐体コンポーネントは、ともに結合される、第１の外側筐体コンポーネントおよび第２の外側筐体コンポーネントと、
第１の外側筐体上に位置付けられる１つ以上のボタンであって、前記１つ以上のボタンは、上部印刷回路基板にわたってオーバーレイされる、１つ以上のボタンと、
前記第１の外側筐体に接続される第１の端部と、
第２の筐体に接続される第２の端部と、
前記第１の外側筐体と第２の外側筐体との間に位置付けられるローカル処理およびデータモジュールと、
前記第１の外側筐体および前記第２の外側筐体との間に位置付けられる電気導線であって、前記電気導線は、前記第１の端部、前記ローカル処理およびデータモジュール、および前記第２の端部を接続する、電気導線と
を備える、ベルトパック。
【請求項２】
前記第１の外側筐体コンポーネントおよび前記第２の外側筐体コンポーネントは、機械的ラッチを向上させるための磁気結合構成とともに結合される、請求項１に記載のベルトパック。
【請求項３】
前記１つ以上のボタンは、円形ボタンまたは三角形ボタンのうちの少なくとも１つを備える、請求項１に記載のベルトパック。
【請求項４】
前記第１の外側筐体と前記第２の外側筐体との間に位置付けられる、ディスプレイをさらに備え、前記電気導線はさらに、前記ディスプレイを通して延設される、請求項１に記載のベルトパック。
【請求項５】
前記上部印刷回路基板は、メス型接触ピンアレイの上部にオーバーレイされる、請求項１に記載のベルトパック。
【請求項６】
前記第２の筐体は、下側印刷回路基板を被覆し、前記下側印刷回路基板は、オス型接触ピンアレイの上部にオーバーレイされる、請求項１に記載のベルトパック。
【請求項７】
前記オス型接触ピンアレイは、前記メス型接触ピンアレイと噛合する、請求項６に記載のベルトパック。
【請求項８】
前記オス型接触ピンアレイまたは前記メス型接触ピンアレイのうちの少なくとも１つのピンは、各ピンの縦軸に沿って押下され得るようにばね荷重されるように構成される、請求項７に記載のベルトパック。
【請求項９】
前記ピンは、前記オス型接触ピン上に鍍着された伝導性材料を備えることができ、前記伝導性材料の幅は、少なくとも２５μｍであってもよい、請求項８に記載のベルトパック。
【請求項１０】
前記オス型接触ピンアレイは、４６個のオス型ピンを備え、前記メス型接触ピンアレイは、４６個のメス型ピンを備える、請求項７に記載のベルトパック。
【請求項１１】
前記オス型接触ピンアレイは、磁気インターフェースを介して、前記メス型接触ピンアレイと噛合し、前記磁気インターフェースは、略長方形であり、前記ピンアレイを囲繞し、約１ｍｍ幅および４．８ｍｍ高である、請求項７に記載のベルトパック。
【請求項１２】
前記オス型ピンアレイを囲繞する第１の磁石は、第１の極性を有し、前記メス型ピンアレイを囲繞する第２の磁石は、前記第１の極性と反対の第２の極性を有する、請求項１１に記載のベルトパック。
【請求項１３】
前記オス型ピンアレイまたは前記メス型ピンアレイのうちの少なくとも１つは、約４２〜５０ｍｍの長さ、約７〜１０ｍｍの幅、および約５ｍｍの高さを有する、請求項６に記載のベルトパック。
【発明の詳細な説明】
【技術分野】
【０００１】
（関連出願の相互参照）
本願は、２０１６年４月２６日に出願され、ＳＹＳＴＥＭＳ  ＡＮＤ  ＭＥＴＨＯＤＳ  ＦＯＲ  ＡＵＧＭＥＮＴＥＤ  ＲＥＡＬＩＴＹと題された、米国特許出願第６２／３２８，００３号、および２０１７年３月３０日に出願され、ＥＬＥＣＴＲＯＭＡＧＮＥＴＩＣ  ＴＲＡＣＫＩＮＧ  ＷＩＴＨ  ＡＵＧＭＥＮＴＥＤ  ＲＥＡＬＩＴＹ  ＳＹＳＴＥＭＳと題された米国特許出願第６２／４７９，１１１号に対する優先権の利益を主張するものであり、上記出願の全ては、全体が参照により本明細書中に援用される。
【０００２】
本開示は、拡張現実システムの状況において、１つ以上のオブジェクトの位置または配向を特定するためのシステムおよび方法に関する。
【背景技術】
【０００３】
現代のコンピューティングおよびディスプレイ技術は、いわゆる「仮想現実」または「拡張現実」体験のためのシステムの開発を促進しており、デジタル的に再現された画像またはその一部が、現実であるように見える、またはそのように知覚され得る様式でユーザに提示される。仮想現実、すなわち、「ＶＲ」シナリオは、典型的には、他の実際の実世界の視覚的入力に対する透明性を伴わずに、デジタルまたは仮想画像情報の提示を伴う。拡張現実、すなわち、「ＡＲ」シナリオは、典型的には、ユーザの周囲の実際の世界の視覚化の拡張として、デジタルまたは仮想画像情報の提示を伴う。
【発明の概要】
【課題を解決するための手段】
【０００４】
頭部搭載型拡張現実（ＡＲ）デバイスは、装着者の環境内のオブジェクトの３次元仮想表現を提供することが可能であるように、装着者の頭部（または他の身体部分）の姿勢を追跡することができる。電磁（ＥＭ）追跡システムの実施形態は、頭部姿勢または身体ジェスチャを追跡するために使用されることができる。例えば、ハンドヘルドユーザ入力デバイスは、ＥＭエミッタを含むことができ、頭部搭載型ＡＲデバイスは、ＥＭセンサを含むことができる。いくつかの実装では、ＥＭエミッタは、ＥＭセンサによって感知され得る、ＥＭ場を生成する。センサからのＥＭ情報は、分析され、センサの場所および／または配向、それによって、装着者の頭部姿勢を決定することができる。ＥＭエミッタおよびセンサは、追跡システムが複数の周波数で動作することを可能にする、時分割多重化（ＴＤＭ）または動的周波数調整を利用してもよい。電圧利得制御は、センサではなく、送信機内で実装され、より小型かつ軽量のセンサ設計を可能にすることができる。ＥＭセンサは、ノイズキャンセルを実装し、近傍オーディオスピーカによって生成されたＥＭ干渉のレベルを低減させることができる。
【０００５】
頭部搭載型ディスプレイシステムの実施形態は、装着者の眼の正面に位置付け可能なディスプレイと、ある周波数を有する磁場を生成するように構成される、電磁（ＥＭ）場エミッタと、その周波数において磁場を感知するように構成される、ＥＭセンサと、ＥＭセンサから、感知された磁場を示す信号を受信し、受信された信号を分析し、ＥＭセンサの位置または配向を決定する、ようにプログラムされる、プロセッサとを備える。
【０００６】
電磁（ＥＭ）追跡システムの実施形態は、第１の周波数を有する第１の磁場を生成するように構成される、第１の送信機コイルと、第２の周波数を有する第２の磁場を生成するように構成される、第２の送信機コイルと、第３の周波数を有する第３の磁場を生成するように構成される、第３の送信機コイルとを備える、ＥＭ場エミッタを備え、ＥＭ場エミッタは、第１の送信機コイル、第２の送信機コイル、および第３の送信機コイル間で電力を切り替えるように構成される、第１の時分割多重化（ＴＤＭ）回路を備える。頭部搭載型拡張現実ディスプレイデバイスは、ＥＭ追跡システムの実施形態を備えることができる。
【０００７】
電磁（ＥＭ）追跡システムの実施形態は、自動利得制御（ＡＧＣ）回路および送信機コイルを備える、ＥＭ場エミッタと、ＡＧＣ回路を伴わない、ＥＭセンサとを備え、ＥＭセンサは、センサコイルを備える。頭部搭載型拡張現実ディスプレイデバイスは、ＥＭ追跡システムの実施形態を備えることができる。
【０００８】
本明細書に説明される主題の１つ以上の実装の詳細が、付随の図面および以下の説明に記載される。他の特徴、側面、および利点は、説明、図面、および請求項から明白となるであろう。本概要または以下の発明を実施するための形態のいずれも、本発明の主題の範囲を定義または限定することを主張するものではない。
【図面の簡単な説明】
【０００９】
【図１】図１は、人物によって視認されるある仮想現実オブジェクトおよびある物理的オブジェクトを伴う、拡張現実シナリオの例証を描写する。
【図２Ａ】図２Ａ−２Ｄは、ウェアラブルシステムの実施例を図式的に図示する。
【図２Ｂ】図２Ａ−２Ｄは、ウェアラブルシステムの実施例を図式的に図示する。
【図２Ｃ】図２Ａ−２Ｄは、ウェアラブルシステムの実施例を図式的に図示する。
【図２Ｄ】図２Ａ−２Ｄは、ウェアラブルシステムの実施例を図式的に図示する。
【図３】図３は、クラウドコンピューティングアセットとローカル処理アセットとの間の協調を図式的に図示する。
【図４】図４は、電磁（ＥＭ）追跡システムの例示的系統図を図式的に図示する。
【図５】図５は、電磁追跡システムの実施形態の例示的機能を説明する、フローチャートである。
【図６】図６は、ＡＲシステムとともに組み込まれる、電磁追跡システムの実施例を図式的に図示する。
【図７】図７は、ＡＲデバイスの状況における電磁追跡システムの実施例の機能を説明する、フローチャートである。
【図８】図８は、ＡＲシステムの実施形態のコンポーネントの実施例を図式的に図示する。
【図９Ａ】図９Ａ−９Ｆは、迅速解除モジュールの実施例を図式的に図示する。
【図９Ｂ】図９Ａ−９Ｆは、迅速解除モジュールの実施例を図式的に図示する。
【図９Ｃ】図９Ａ−９Ｆは、迅速解除モジュールの実施例を図式的に図示する。
【図９Ｄ】図９Ａ−９Ｆは、迅速解除モジュールの実施例を図式的に図示する。
【図９Ｅ】図９Ａ−９Ｆは、迅速解除モジュールの実施例を図式的に図示する。
【図９Ｆ】図９Ａ−９Ｆは、迅速解除モジュールの実施例を図式的に図示する。
【図１０】図１０は、頭部搭載型ディスプレイシステムを図式的に図示する。
【図１１Ａ】図１１Ａおよび１１Ｂは、頭部搭載型ディスプレイに結合される電磁感知コイルの実施例を図式的に図示する。
【図１１Ｂ】図１１Ａおよび１１Ｂは、頭部搭載型ディスプレイに結合される電磁感知コイルの実施例を図式的に図示する。
【図１２Ａ】図１２Ａ−１２Ｅは、電磁センサに結合され得る、フェライトコアの例示的構成を図式的に図示する。
【図１２Ｂ】図１２Ａ−１２Ｅは、電磁センサに結合され得る、フェライトコアの例示的構成を図式的に図示する。
【図１２Ｃ】図１２Ａ−１２Ｅは、電磁センサに結合され得る、フェライトコアの例示的構成を図式的に図示する。
【図１２Ｄ】図１２Ａ−１２Ｅは、電磁センサに結合され得る、フェライトコアの例示的構成を図式的に図示する。
【図１２Ｅ】図１２Ａ−１２Ｅは、電磁センサに結合され得る、フェライトコアの例示的構成を図式的に図示する。
【図１３Ａ】図１３Ａは周波数分割多重化される（ＦＤＭ）ＥＭ送信機回路（ＥＭエミッタ）の実施例を図式的に図示する、ブロック図である。
【図１３Ｂ】図１３Ｂは、周波数分割多重化されるＥＭ受信機回路（ＥＭセンサ）の実施例を図式的に図示する、ブロック図である。
【図１３Ｃ】図１３Ｃは、時分割多重化（ＴＤＭ）されるＥＭ送信機回路の実施例を図式的に図示する、ブロック図である。
【図１３Ｄ】図１３Ｄは、ＥＭ送信機のための動的に調整可能な回路の実施例を図式的に図示する、ブロック図である。
【図１３Ｅ】図１３Ｅは、図１３Ｄに示される回路を動的に調整することによって達成され得る、共振の実施例を示す、グラフである。
【図１３Ｆ】図１３Ｆは、時分割多重化ＥＭ送信機および受信機のためのタイミング図の実施例を図示する。
【図１３Ｇ】図１３Ｇは、時分割多重化ＥＭ送信機および受信機のための走査タイミングの実施例を図示する。
【図１３Ｈ】図１３Ｈは、ＥＭ追跡システム内のＴＤＭ受信機の実施例を図式的に図示する、ブロック図である。
【図１３Ｉ】図１３Ｉは、自動利得制御（ＡＧＣ）を伴わないＥＭ受信機の実施例を図式的に図示する、ブロック図である。
【図１３Ｊ】図１３Ｊは、ＡＧＣを採用するＥＭ送信機の実施例を図式的に図示する、ブロック図である。
【図１４】図１４および１５は、頭部搭載型ＡＲシステム内の電磁追跡システムを用いた姿勢追跡の実施例を図示する、フローチャートである。
【図１５】図１４および１５は、頭部搭載型ＡＲシステム内の電磁追跡システムを用いた姿勢追跡の実施例を図示する、フローチャートである。
【図１６Ａ】図１６Ａおよび１６Ｂは、ＡＲシステムの他の実施形態のコンポーネントの実施例を図式的に図示する。
【図１６Ｂ】図１６Ａおよび１６Ｂは、ＡＲシステムの他の実施形態のコンポーネントの実施例を図式的に図示する。
【図１７Ａ】図１７Ａは、電磁追跡システム内の送信機の中の共振回路の実施例を図式的に図示する。
【図１７Ｂ】図１７Ｂは、図１７Ａの共振回路内における２２ｋＨｚでの共振の実施例を示す、グラフである。
【図１７Ｃ】図１７Ｃは、共振回路を通して流動する電流の実施例を示す、グラフである。
【図１７Ｄ】図１７Ｄおよび１７Ｅは、電磁追跡システムのＥＭ場送信機内の共振回路のための動的に調整可能な構成の実施例を図式的に図示する。
【図１７Ｅ】図１７Ｄおよび１７Ｅは、電磁追跡システムのＥＭ場送信機内の共振回路のための動的に調整可能な構成の実施例を図式的に図示する。
【図１７Ｆ】図１７Ｆは、図１７Ｅに示される例示的回路内のコンデンサＣ４の静電容量の値を変化させることによって動的に調整された共振の実施例を示す、グラフである。
【図１７Ｇ】図１７Ｇは、種々の共振周波数において達成される最大電流の実施例を示す、グラフである。
【図１８Ａ】図１８Ａは、オーディオスピーカに隣接する電磁場センサの実施例を図式的に示す、ブロック図である。
【図１８Ｂ】図１８Ｂは、センサおよび外部オーディオスピーカの両方からの入力を受信するノイズキャンセルシステムを伴う電磁場センサの実施例を図式的に示す、ブロック図である。
【図１８Ｃ】図１８Ｃは、信号が、反転され、追加され、オーディオスピーカによって生じる磁気干渉をキャンセルし得る方法の実施例を示す、グラフである。
【図１８Ｄ】図１８Ｄは、ＥＭ追跡システム内のＥＭセンサによって受信された干渉をキャンセルするための例示的方法を示す、フローチャートである。
【図１９】図１９は、ビジョンシステムの較正を補助する光のパターンの使用を図式的に示す。
【図２０Ａ】図２０Ａ−２０Ｃは、ウェアラブルディスプレイデバイスのサブシステムまたはコンポーネントと併用可能な例示的回路のブロック図である。
【図２０Ｂ】図２０Ａ−２０Ｃは、ウェアラブルディスプレイデバイスのサブシステムまたはコンポーネントと併用可能な例示的回路のブロック図である。
【図２０Ｃ】図２０Ａ−２０Ｃは、ウェアラブルディスプレイデバイスのサブシステムまたはコンポーネントと併用可能な例示的回路のブロック図である。
【図２１】図２１は、ＩＭＵ、電磁追跡センサ、および光学センサからの出力をマージする実施例を示す、グラフである。
【図２２Ａ】図２２Ａ−２２Ｃは、頭部搭載型ディスプレイに結合される電磁感知コイルの付加的実施例を図式的に図示する。
【図２２Ｂ】図２２Ａ−２２Ｃは、頭部搭載型ディスプレイに結合される電磁感知コイルの付加的実施例を図式的に図示する。
【図２２Ｃ】図２２Ａ−２２Ｃは、頭部搭載型ディスプレイに結合される電磁感知コイルの付加的実施例を図式的に図示する。
【図２３Ａ】図２３Ａ−２３Ｃは、電磁信号および音響信号を使用して頭部搭載型ディスプレイを再較正する実施例を図式的に図示する。
【図２３Ｂ】図２３Ａ−２３Ｃは、電磁信号および音響信号を使用して頭部搭載型ディスプレイを再較正する実施例を図式的に図示する。
【図２３Ｃ】図２３Ａ−２３Ｃは、電磁信号および音響信号を使用して頭部搭載型ディスプレイを再較正する実施例を図式的に図示する。
【図２４Ａ】図２４Ａ−２４Ｄは、カメラまたは深度センサを使用して頭部搭載型ディスプレイを再較正する付加的実施例を図式的に図示する。
【図２４Ｂ】図２４Ａ−２４Ｄは、カメラまたは深度センサを使用して頭部搭載型ディスプレイを再較正する付加的実施例を図式的に図示する。
【図２４Ｃ】図２４Ａ−２４Ｄは、カメラまたは深度センサを使用して頭部搭載型ディスプレイを再較正する付加的実施例を図式的に図示する。
【図２４Ｄ】図２４Ａ−２４Ｄは、カメラまたは深度センサを使用して頭部搭載型ディスプレイを再較正する付加的実施例を図式的に図示する。
【図２５Ａ】図２５Ａおよび２５Ｂは、電磁追跡システムと関連付けられ得る位置曖昧性を解決するための技法を図式的に図示する。
【図２５Ｂ】図２５Ａおよび２５Ｂは、電磁追跡システムと関連付けられ得る位置曖昧性を解決するための技法を図式的に図示する。
【発明を実施するための形態】
【００１０】
図面全体を通して、参照番号は、参照される要素間の対応を示すために再使用され得る。図面は、本明細書に説明される例示的実施形態を図示するために提供され、本開示の範囲を限定することを意図されない。
ＡＲ、ＶＲ、および位置特定システムの概要
【００１１】
図１では、拡張現実場面（４）が、描写されており、ＡＲ技術のユーザには、人々、木々、建物を背景として、コンクリートプラットフォーム（１１２０）を特徴とする、実世界の公園のような設定（６）が見える。これらのアイテムに加え、ＡＲ技術のユーザはまた、実世界プラットフォーム（１１２０）上に立っているロボット像（１１１０）と、マルハナバチの擬人化のように見える、飛んでいる漫画のようなアバタキャラクタ（２）とが「見える」と知覚するが、これらの要素（２、１１１０）は、実世界には存在しない。結論から述べると、ヒト視知覚系は、非常に複雑であって、他の仮想または実世界画像要素の中で仮想画像要素の快適かつ自然な感覚で豊かな提示を促進する、ＶＲまたはＡＲ技術を生成することは、困難である。
【００１２】
例えば、頭部装着型ＡＲディスプレイ（またはヘルメット搭載型ディスプレイまたはスマートグラス）は、典型的には、ユーザの頭部に少なくとも緩く結合され、したがって、ユーザの頭部が移動すると、移動し得る。ユーザの頭部の運動が、ディスプレイシステムによって検出される場合、表示されているデータは、頭部姿勢の変化を考慮するように更新されることができる。
【００１３】
実施例として、頭部装着型ディスプレイを装着するユーザが、ディスプレイ上の３次元（３−Ｄ）オブジェクトの仮想表現を視認し、３−Ｄオブジェクトが現れる面積の周囲を歩き回る場合、その３−Ｄオブジェクトは、視点毎に再レンダリングされ、彼らが、実空間を占有するオブジェクトの周囲を歩き回っているような知覚をユーザに与えることができる。頭部装着型ディスプレイが、仮想空間内に複数のオブジェクト（例えば、豊かな仮想世界）を提示するために使用される場合、頭部の姿勢の測定（例えば、ユーザの頭部の場所および配向）が、ユーザの動的に変化する頭部場所および配向に合致するように場面を再レンダリングし、仮想空間内への没入感の増加を提供するために使用されることができる。
【００１４】
ＡＲシステムでは、頭部の姿勢の検出または計算は、ユーザにとって意味をなす様式において、ディスプレイシステムが実世界内の空間を占有するように現れるように、仮想オブジェクトをレンダリングすることを促進することができる。加えて、ユーザの頭部またはＡＲシステムと連動したハンドヘルドデバイス（「トーテム」とも称され得る）、触知デバイス、または他の実物理的オブジェクト等の実オブジェクトの位置および／または配向の検出もまた、ディスプレイシステムが、ディスプレイ情報をユーザに提示し、ユーザが、ＡＲシステムのある側面と効率的に相互作用することを可能にすることを促進し得る。ユーザの頭部が、実世界内で動き回るにつれて、仮想オブジェクトは、仮想オブジェクトが実世界に対して安定したまま現れるように、頭部の姿勢に応じて再レンダリングされ得る。少なくともＡＲ用途に関して、物理的オブジェクトと空間的に連動した仮想オブジェクトの設置（例えば、２または３次元において物理的オブジェクトに空間的に近接して現れるように提示される）は、些細な問題ではあり得ない。例えば、頭部の移動が、周囲環境の視点からの仮想オブジェクトの設置を有意に複雑にし得る。これは、視点が周囲環境の画像として捕捉され、次いで、エンドユーザに投影もしく表示されるかどうか、またはエンドユーザが周囲環境の視点を直接知覚するかどうかに当てはまる。例えば、頭部の移動は、エンドユーザの視野を変化させる可能性が高く、これは、種々の仮想オブジェクトがエンドユーザの視野に表示される場所に対する更新を要求する可能性が高いであろう。加えて、頭部移動は、多種多様な範囲および速度で生じ得る。頭部移動速度は、異なる頭部移動間においてだけではなく、単一頭部移動の範囲内またはそれを横断して変動し得る。例えば、頭部移動速度は、始点から増加し得（例えば、線形または非線形）、終点に到達するにつれて、減少し得、頭部の移動の始点と終点との間のある場所で最大速度を得る。高速頭部移動は、特定の表示または投影技術の能力さえ超え、均一および／または平滑運動としてエンドユーザに現れる画像をレンダリングし得る。
【００１５】
頭部追跡正確度および待ち時間（例えば、ユーザがその頭部を移動させてから、画像が更新され、ユーザに表示されるまでの経過時間）は、ＶＲおよびＡＲシステムにとって課題となっている。特に、ユーザの視野の実質的部分を仮想要素で充填する、ディスプレイシステムに関して、頭部追跡の正確度が高く、頭部運動の最初の検出からディスプレイによってユーザの視覚系に配信される光の更新までの全体的システム待ち時間が非常に短い場合、有利である。待ち時間が長い場合、システムは、ユーザの前庭と視感覚系との間に不整合をもたらし、乗り物酔いまたは３Ｄ酔いにつながり得る、ユーザ知覚シナリオを生成させ得る。システム待ち時間が長い場合、仮想オブジェクトの見掛け場所は、高速頭部運動の間、不安定に現れ得る
【００１６】
頭部装着型ディスプレイシステムに加え、他のディスプレイシステムもまた、正確かつ短い待ち時間の頭部の姿勢検出から恩恵を受け得る。これらとして、ディスプレイが、ユーザの身体に装着されず、例えば、壁または他の表面上に搭載される、頭部追跡型ディスプレイシステムが挙げられる。頭部追跡型ディスプレイは、場面上に窓のように作用し得、ユーザがその頭部を「窓」に対して移動させるにつれて、場面は、ユーザの変化する視点に合致するように、再レンダリングされる。他のシステムとして、頭部装着型ディスプレイが光を実世界上に投影する、頭部装着型投影システムが挙げられる。
【００１７】
加えて、現実的拡張現実体験を提供するために、ＡＲシステムは、ユーザと相互作用するように設計されてもよい。例えば、複数のユーザが、仮想ボールおよび／または他の仮想オブジェクトを用いて、ボールゲームをプレーしてもよい。１人のユーザが、仮想ボールを「キャッチ」し、ボールを別のユーザに投げ返してもよい。別の実施形態では、第１のユーザは、仮想ボールを打つためのトーテム（例えば、ＡＲシステムに通信可能に結合される実際のバット）を提供されてもよい。他の実施形態では、仮想ユーザインターフェースは、ユーザが多くのオプションのうちの１つを選択することを可能にするために、ＡＲユーザに提示されてもよい。ユーザは、トーテム、触知デバイス、ウェアラブルコンポーネントを使用し、または単に、仮想画面をタッチし、システムと相互作用してもよい。
【００１８】
ユーザの頭部の姿勢および配向および空間内の実オブジェクトの物理的場所を検出することは、ＡＲシステムが、仮想コンテンツを効果的で楽しむことのできる様式で表示することを可能にする。しかしながら、これらの能力は、ＡＲシステムにとって重要であるが、達成することが困難である。言い換えると、ＡＲシステムは、実オブジェクト（例えば、ユーザの頭部、トーテム、触知デバイス、ウェアラブルコンポーネント、ユーザの手等）の物理的場所を認識し、実オブジェクトの物理的座標をユーザに表示されている１つ以上の仮想オブジェクトに対応する仮想座標に相関させなければならない。これは、概して、１つ以上のオブジェクトの位置および配向を高速レートで追跡する非常に正確なセンサおよびセンサ認識システムを要求する。現在のアプローチは、満足のゆく速度または精度規格において位置特定を行わない。
【００１９】
したがって、ＡＲおよびＶＲデバイスの状況において、より優れた位置特定システムの必要がある。
例示的ＡＲおよびＶＲシステムおよびコンポーネント
【００２０】
図２Ａ−２Ｄを参照すると、いくつかの一般的コンポーネントオプションが、図示される。図２Ａ−２Ｄの議論に従う、発明を実施するための形態の部分では、種々のシステム、サブシステム、およびコンポーネントが、ヒトＶＲおよび／またはＡＲのための高品質かつ快適に知覚されるディスプレイシステムを提供する目的に対処するために提示される。
【００２１】
図２Ａに示されるように、ＡＲシステムユーザ（６０）は、ユーザの眼の正面に位置付けられるディスプレイシステム（６２）に結合されるフレーム（６４）構造を特徴とする、頭部搭載型コンポーネント（５８）を装着するように描写される。スピーカ（６６）が、描写される構成においてフレーム（６４）に結合され、ユーザの外耳道に隣接して位置付けられる（一実施形態では、示されない別のスピーカが、ユーザの他方の外耳道に隣接して位置付けられ、立体／成形可能音制御を提供する）。ディスプレイ（６２）は、有線導線または無線コネクティビティ等によって、ローカル処理およびデータモジュール（７０）に動作可能に結合（６８）されてもよく、これは、フレーム（６４）に固定して取り付けられる、図２Ｂの実施形態に示されるようにヘルメットまたは帽子（８０）に固定して取り付けられる、ヘッドホン内に埋め込まれる、図２Ｃの実施形態に示されるようにバックパック式構成においてユーザ（６０）の胴体（８２）に除去可能に取り付けられる、または図２Ｄの実施形態に示されるようにベルト結合式構成においてユーザ（６０）の臀部（８４）に除去可能に取り付けられる等、種々の構成において搭載されてもよい。
【００２２】
ローカル処理およびデータモジュール（７０）は、電力効率の良いプロセッサまたはコントローラおよびフラッシュメモリ等のデジタルメモリを備えてもよく、両方とも、ａ）画像捕捉デバイス（カメラ等）、マイクロホン、慣性測定ユニット、加速度計、コンパス、ＧＰＳユニット、無線デバイス、および／またはジャイロ等、フレーム（６４）に動作可能に結合され得る、センサから捕捉されるデータの処理、キャッシュ、および記憶を補助するために、および／またはｂ）可能性として、そのような処理または読み出し後、ディスプレイ（６２）への通過のために、遠隔処理モジュール（７２）および／または遠隔データリポジトリ（７４）を使用して、取得かつ／または処理され得るデータの処理、キャッシュ、および記憶を補助するために利用されてもよい。ローカル処理およびデータモジュール（７０）は、有線または無線通信リンク等を介して、遠隔モジュール（７２、７４）が、相互に動作可能に結合され、ローカル処理およびデータモジュール（７０）へのリソースとして利用可能であるように、これらの遠隔処理モジュール（７２）および遠隔データリポジトリ（７４）に動作可能に結合（７６、７８）されてもよい。
【００２３】
一実施形態では、遠隔処理モジュール７２は、データおよび／または画像情報を分析および処理するように構成される、１つ以上の比較的に高性能なプロセッサまたはコントローラを備えてもよい。一実施形態では、遠隔データリポジトリ（７４）は、比較的に大規模なデジタルデータ記憶設備を備えてもよく、これは、インターネットまたは「クラウド」リソース構成内の他のネットワーキング構成を通して利用可能であってもよい。一実施形態では、全てのデータは、記憶されてもよく、全ての計算は、ローカル処理およびデータモジュール内で行われ、任意の遠隔モジュールから完全に自律的な使用を可能にしてもよい。
【００２４】
ここで図３を参照すると、概略図は、例えば、ユーザの頭部（１２０）に結合される頭部搭載型コンポーネント（５８）およびユーザのベルト（３０８）に結合されるローカル処理およびデータモジュール（７０）内に常駐し得る、クラウドコンピューティングアセット（４６）とローカル処理アセットとの間の協調を図示する。したがって、コンポーネント７０はまた、図３に示されるように、「ベルトパック」７０とも称され得る。一実施形態では、１つ以上のサーバシステム（１１０）等のクラウド（４６）アセットは、有線または無線ネットワーキング等を介して、（無線は、モバイル式のために好ましく、有線は、所望され得る、ある高帯域幅または高データ量転送のために好ましい）、前述のように、ユーザの頭部（１２０）およびベルト（３０８）に結合されるプロセッサおよびメモリ構成等のローカルコンピューティングアセットの一方または両方（４０、４２）に直接的に動作可能に結合（１１５）される。ユーザにローカルのこれらのコンピューティングアセットは同様に、図８を参照して以下に議論される有線結合（６８）等、有線および／または無線コネクティビティ構成（４４）を介して、相互に動作可能に結合されてもよい。一実施形態では、ユーザの頭部（１２０）に搭載される低慣性および小型サブシステムを維持するために、ユーザとクラウド（４６）との間の一次転送は、ベルト（３０８）に搭載されるサブシステムとクラウドとの間のリンクを介してもよく、頭部搭載型サブシステム（１２０）は、主に、例えば、パーソナルコンピューティング周辺コネクティビティ用途において現在採用されるような超広帯域（「ＵＷＢ」）コネクティビティ等の無線コネクティビティを使用して、ベルトベースのサブシステム（３０８）にデータテザリングされる。
【００２５】
効率的なローカルおよび遠隔の処理協調および図２Ａに示されるユーザインターフェースまたはユーザディスプレイシステム（６２）またはその変形例等のユーザのための適切なディスプレイデバイスを用いることで、ユーザの現在の実際または仮想場所に関する１つの世界の側面は、ユーザに転送または「パス」され、効率的方式で更新され得る。言い換えると、世界のマップが、ユーザのＡＲシステム上に部分的に常駐し、かつクラウドリソース内に部分的に常駐し得る記憶場所において、持続的に更新され得る。マップ（「パス可能世界モデル」とも称される）は、ラスタ画像、３−Ｄおよび２−Ｄ点、パラメータ情報、および実世界についての他の情報を備える、大型データベースであってもよい。ますます多くのＡＲユーザが、その実環境についての情報を持続的に捕捉するにつれて（例えば、カメラ、センサ、ＩＭＵ等を通して）、マップは、ますます正確かつ完全となる。
【００２６】
前述のような構成を用いることで、クラウドコンピューティングリソース上に常駐し、そこから配信されることができる、１つの世界モデルが存在し、そのような世界は、リアルタイムビデオデータまたは同等物のパスを試みるために好ましい比較的に低帯域幅形態において、１人以上のユーザに「パス可能」となり得る。像の近くに立っている人（すなわち、図１に示されるように）の拡張体験は、クラウドベースの世界モデルによって情報提供されてもよく、そのサブセットは、彼らおよび彼らのローカルディスプレイデバイスにパスされ、ビューを完成させてもよい。机上にあるパーソナルコンピュータと同程度に単純であり得る、遠隔ディスプレイデバイスに向かって着座している人が、その情報の同一セクションをクラウドから効率的にダウンロードし、それをそのディスプレイ上にレンダリングさせることもできる。実際、実際に像の近くに居る公園内に存在する１人の人物は、遠隔に位置する友人と公園内を散歩してもよく、友人は、仮想および拡張現実を通して参加する。本システムは、通りの場所、木々の場所、像の場所を把握する必要があるであろうが、クラウド上のその情報を用いることで、参加する友人は、クラウドから、シナリオの側面をダウンロードし、次いで、実際に公園内に居る人物に対してローカルな拡張現実に沿って歩行を開始することができる。
【００２７】
３次元（３−Ｄ）点が、環境から捕捉されてもよく、それらの画像または点を捕捉するカメラの姿勢（例えば、世界に対するベクトルおよび／または原位置情報）が、これらの点または画像が、本姿勢情報と「タグ付けされる」、または関連付けられ得るように、決定されてもよい。次いで、第２のカメラによって捕捉された点は、第２のカメラの姿勢を決定するために利用されてもよい。言い換えると、第１のカメラからのタグ付けされた画像との比較に基づいて、第２のカメラを配向および／または位置特定することができる。次いで、本知識は、テクスチャを抽出すること、マップを作成すること、および実世界の仮想コピーを作成することのために利用されてもよい（その時点で、位置合わせされる２つのカメラが周囲に存在するため）。
【００２８】
したがって、基礎レベルでは、一実施形態では、人物装着型システムは、３−Ｄ点およびその点を生成した２−Ｄ画像の両方を捕捉するために利用されることができ、これらの点および画像は、クラウド記憶および処理リソースに送信されてもよい。それらはまた、内蔵姿勢情報とともにローカルにキャッシュされてもよい（すなわち、タグ付けされた画像をキャッシュする）。したがって、クラウドは、すぐ使える状態の（すなわち、利用可能なキャッシュ内において）タグ付けされた２−Ｄ画像（すなわち、３−Ｄ姿勢とタグ付けされた）を３−Ｄ点とともに有し得る。ユーザが、動的なものを観察している場合、また、クラウドに、運動に関する付加的情報を送信してもよい（例えば、別の人物の顔を見ている場合、ユーザは、顔のテクスチャマップを撮影し、周囲世界がその他の点では基本的に静的であっても、それを最適化された周波数でプッシュすることができる）。オブジェクト認識装置およびパス可能世界モデルに関するさらなる情報は、「Ｓｙｓｔｅｍ  ａｎｄ  ｍｅｔｈｏｄ  ｆｏｒ  ａｕｇｍｅｎｔｅｄ  ａｎｄ  ｖｉｒｔｕａｌ  ｒｅａｌｉｔｙ」と題された米国特許公開第２０１４／０３０６８６６号（参照することによって本明細書にその全体として組み込まれる）とともに、Ｍａｇｉｃ  Ｌｅａｐ，  Ｉｎｃ．（Ｐｌａｎｔａｔｉｏｎ，  Ｆｌｏｒｉｄａ）によって開発されたもの等の拡張および仮想現実システムに関連する、以下の付加的開示、すなわち、米国特許公開第２０１５／０１７８９３９号、米国特許公開第２０１５／０２０５１２６号、米国特許公開第２０１４／０２６７４２０号、米国特許公開第２０１５／０３０２６５２号、米国特許公開第２０１３／０１１７３７７号、および米国特許公開第２０１３／０１２８２３０号（それぞれ、参照することによってその全体として本明細書に組み込まれる）に見出され得る。
【００２９】
ＧＰＳおよび他の位置特定情報が、そのような処理のための入力として利用されてもよい。ユーザの頭部、トーテム、手のジェスチャ、触知デバイス等の非常に正確な位置特定が、適切な仮想コンテンツをユーザに表示するために、有利であり得る。
【００３０】
頭部搭載型デバイス（５８）は、デバイスの装着者の眼の正面に位置付け可能なディスプレイを含んでもよい。ディスプレイは、ライトフィールドディスプレイを備えてもよい。ディスプレイは、複数の深度平面において画像を装着者に提示するように構成されてもよい。ディスプレイは、回折要素を伴う平面導波管を備えてもよい。本明細書に開示される実施形態のいずれかと併用可能なディスプレイ、頭部搭載型デバイス、および他のＡＲコンポーネントの実施例は、米国特許公開第２０１５／００１６７７７号に説明される。米国特許公開第２０１５／００１６７７７号は、参照することによってその全体として本明細書に組み込まれる。
電磁位置特定の実施例
【００３１】
高精度位置特定を達成するための１つのアプローチは、ユーザのＡＲヘッドセット、ベルトパック、および／または他の補助デバイス（例えば、トーテム、触知デバイス、ゲーム器具等）上に方略的に設置される、電磁センサと結合される電磁場（ＥＭ）の使用を伴い得る。電磁追跡システムは、典型的には、少なくとも、電磁場エミッタと、少なくとも１つの電磁場センサとを備える。センサは、既知の分布を伴う電磁場を測定してもよい。電磁場エミッタは、ＡＲヘッドセットの装着者の環境内の既知の空間（および／または時間的）分布を有する、電磁場を生成する。電磁場センサは、センサの場所において生成された電磁場を測定する。これらの測定および生成された電磁場の分布の知識に基づいて、エミッタに対する電磁場センサの姿勢（例えば、位置および／または配向）が、決定されることができる。故に、センサが取り付けられるオブジェクトの姿勢が、決定されることができる。
【００３２】
ここで図４を参照すると、電磁追跡システムの例示的系統図（例えば、Ｊｏｈｎｓｏｎ  ＆  Ｊｏｈｎｓｏｎ  Ｃｏｒｐｏｒａｔｉｏｎの子会社であるＢｉｏｓｅｎｓｅ、Ｐｏｌｈｅｍｕｓ，  Ｉｎｃ．（Ｃｏｌｃｈｅｓｔｅｒ，  Ｖｅｒｍｏｎｔ）等の組織によって開発されたもの、Ｓｉｘｅｎｓｅ  Ｅｎｔｅｒｔａｉｎｍｅｎｔ，  Ｉｎｃ．（Ｌｏｓ  Ｇａｔｏｓ，  Ｃａｌｉｆｏｒｎｉａ）、および他の追跡装置製造企業によって製造されたもの等）が、図示される。１つ以上の実施形態では、電磁追跡システムは、既知の磁場を放出するように構成される、電磁場エミッタ４０２を備える。図４に示されるように、電磁場エミッタは、電力供給源（例えば、電流、バッテリ等）に結合され、電力を電磁場エミッタ４０２に提供してもよい。
【００３３】
１つ以上の実施形態では、電磁場エミッタ４０２は、磁場を生成する、いくつかのコイル（例えば、相互に垂直に位置付けられ、場をＸ、Ｙ、およびＺ方向に生成する、少なくとも３つのコイル）を備える。本磁場は、座標空間（例えば、Ｘ−Ｙ−Ｚデカルト座標空間）を確立するために使用される。これは、システムが、既知の磁場と関連してセンサの位置（例えば、（Ｘ，Ｙ，Ｚ）位置）をマップすることを可能にし、センサの位置および／または配向を決定することに役立つ。１つ以上の実施形態では、電磁センサ４０４ａ、４０４ｂ等が、１つ以上の実オブジェクトに取り付けられてもよい。電磁センサ４０４は、放出される電磁場を通して電流が誘発され得る、より小さいコイルを備えてもよい。概して、「センサ」コンポーネント（４０４）は、エミッタ（４０２）によって放出される磁場から流入する磁束を捕捉するように位置付けられる／配向される立方体または他の容器等の小型構造内にともに結合される、３つの異なるように配向される（例えば、相互に対して直交して配向される等）コイルのセット等の小型コイルまたはループを備えてもよく、これらのコイルを通して誘発される電流を比較することによって、かつ相互に対するコイルの相対的位置および配向を把握することによって、エミッタに対するセンサの相対的位置および配向が、計算され得る。
【００３４】
電磁追跡センサに動作可能に結合される、コイルおよび慣性測定ユニット（「ＩＭＵ」）コンポーネントの挙動に関する１つ以上のパラメータが、電磁場エミッタが結合される座標系に対するセンサ（およびそれが取り付けられるオブジェクト）の位置および／または配向を検出するために、測定されてもよい。１つ以上の実施形態では、複数のセンサが、電磁エミッタと連動して使用され、座標空間内のセンサのそれぞれの位置および配向を検出してもよい。電磁追跡システムは、３つの方向（すなわち、Ｘ、Ｙ、およびＺ方向）において、さらに、２つまたは３つの配向角度において、位置を提供してもよい。１つ以上の実施形態では、ＩＭＵの測定は、コイルの測定と比較され、センサの位置および配向を決定してもよい。１つ以上の実施形態では、電磁（ＥＭ）データおよびＩＭＵデータは両方とも、カメラ、深度センサ、および他のセンサ等の種々の他のデータ源とともに、位置および配向を決定するために組み合わせられてもよい。本情報は、コントローラ４０６に伝送されてもよい（例えば、無線通信、Ｂｌｕｅｔｏｏｔｈ（登録商標）等）。１つ以上の実施形態では、姿勢（または位置および配向）は、従来のシステムにおいて比較的に高リフレッシュレートで報告されてもよい。従来、電磁場エミッタは、テーブル、手術台、壁、または天井等の比較的に安定した大型オブジェクトに結合され、１つ以上のセンサは、医療デバイス、ハンドヘルドゲームコンポーネント、または同等物等のより小型のオブジェクトに結合される。代替として、図６を参照して以下に説明されるように、電磁追跡システムの種々の特徴が、採用され、より安定した大域座標系に対する空間内を移動する２つのオブジェクト間の位置および／または配向における変化またはデルタが追跡され得る、構成を生成してもよい。言い換えると、構成は、図６に示されており、電磁追跡システムのバリエーションが、利用され、頭部搭載型コンポーネントとハンドヘルドコンポーネントとの間の位置および配向デルタを追跡し得る一方、（例えば、ユーザにローカルの室内環境の）大域座標系に対する頭部の姿勢は、システムの頭部搭載型コンポーネントに結合され得る外向き捕捉カメラを使用して、同時位置特定およびマッピング（「ＳＬＡＭ」）技法等によって別様に決定される。
【００３５】
コントローラ４０６は、電磁場エミッタ４０２を制御してもよく、また、データを種々の電磁センサ４０４から捕捉してもよい。システムの種々のコンポーネントは、任意の電気機械的または無線／Ｂｌｕｅｔｏｏｔｈ（登録商標）手段を通して相互に結合されてもよいことを理解されたい。コントローラ４０６はまた、既知の磁場および磁場に関連する座標空間に関するデータを備えてもよい。本情報は、次いで、既知の電磁場に対応する座標空間に関連してセンサの位置および配向を検出するために使用されてもよい。
【００３６】
電磁追跡システムの１つの利点は、最小限の待ち時間および高分解能を伴って非常に正確な追跡結果を生成することができることである。加えて、電磁追跡システムは、必ずしも、光学追跡装置に依拠せず、ユーザの視線内にないセンサ／オブジェクトは、容易に追跡され得る。
【００３７】
電磁場ｖの強度は、コイル送信機（例えば、電磁場エミッタ４０２）からの距離ｒの三次関数として低下することを理解されたい。したがって、アルゴリズムは、電磁場エミッタからの距離に基づいて、使用されてもよい。コントローラ４０６は、そのようなアルゴリズムを用いて、電磁場エミッタからの可変距離におけるセンサ／オブジェクトの位置および配向を決定するように構成されてもよい。センサが電磁エミッタから離れて移動するにつれて、電磁場の強度の急減を前提として、正確度、効率、および短待ち時間の観点から、最良結果が、より近い距離において達成され得る。典型的電磁追跡システムでは、電磁場エミッタは、電流（例えば、差込式電力供給源）によって給電され、電磁場エミッタから半径２０フィート以内に位置するセンサを有する。センサと場エミッタとの間の半径が短いほど、ＡＲ用途を含む、多くの用途においてより望ましくあり得る。
【００３８】
ここで図５を参照すると、典型的電磁追跡システムの機能を説明する例示的フロー図が、簡単に説明される。５０２では、既知の電磁場が、放出される。１つ以上の実施形態では、磁場エミッタは、磁場を生成してもよく、各コイルは、電場を一方向（例えば、Ｘ、Ｙ、またはＺ）に生成させ得る。磁場は、任意の波形を用いて生成されてもよい。１つ以上の実施形態では、軸のそれぞれに沿った磁場成分は、他の方向に沿った他の磁場成分と若干異なる周波数で発振してもよい。５０４では、電磁場に対応する座標空間が、決定され得る。例えば、図４の制御４０６は、電磁場に基づいて、エミッタの周囲の座標空間を自動的に決定してもよい。５０６では、センサ（既知のオブジェクトに取り付けられ得る）におけるコイルの挙動が、検出され得る。例えば、コイルにおいて誘発される電流が、計算されてもよい。他の実施形態では、コイルの回転または任意の他の定量化可能挙動が、追跡および測定されてもよい。５０８では、本挙動は、センサおよび／または既知のオブジェクトの位置または配向を検出するために使用されてもよい。例えば、コントローラ４０６は、センサにおけるコイルの挙動を種々の位置または配向に相関させる、マッピングテーブルを参考にしてもよい。これらの計算に基づいて、座標空間内の位置が、センサの配向とともに、決定されてもよい。
【００３９】
ＡＲシステムの状況では、電磁追跡システムの１つ以上のコンポーネントは、モバイルコンポーネントの正確な追跡を促進するために、修正される必要があり得る。前述のように、ユーザの頭部の姿勢および配向の追跡は、多くのＡＲ用途において望ましくあり得る。ユーザの頭部の姿勢および配向の正確な決定は、ＡＲシステムが、正しい仮想コンテンツをユーザに表示することを可能にする。例えば、仮想場面は、実際の建物の背後に隠れているモンスタを含み得る。建物と関連したユーザの頭部の姿勢および配向に応じて、仮想モンスタのビューは、現実的ＡＲ体験が提供されるように修正される必要があり得る。または、トーテム、触知デバイス、または仮想コンテンツと相互作用するある他の手段の位置および／または配向は、ＡＲユーザがＡＲシステムと相互作用することを可能にする際に重要であり得る。例えば、多くのゲーム用途では、ＡＲシステムは、仮想コンテンツと関連した実オブジェクトの位置および配向を検出しなければならない。または、仮想インターフェースを表示するとき、トーテム、ユーザの手、触知デバイス、またはＡＲシステムとの相互作用のために構成される任意の他の実オブジェクトの位置が、システムがコマンド等を理解するために、表示される仮想インターフェースと関連して把握されなければならない。光学追跡および他の方法を含む、従来の位置特定方法は、典型的には、長待ち時間および低分解能問題に悩まされ、仮想コンテンツのレンダリングを多くの拡張現実用途において困難にする。
【００４０】
１つ以上の実施形態では、図４および５に関連して議論される、電磁追跡システムは、放出される電磁場に関連して１つ以上のオブジェクトの位置および配向を検出するようにＡＲシステムに適合されてもよい。典型的電磁システムは、大型かつ嵩張る電磁エミッタ（例えば、図４における４０２）を有する傾向にあって、これは、頭部搭載型ＡＲデバイスにとって問題となる。しかしながら、より小型の電磁エミッタ（例えば、ミリメートル範囲内）が、ＡＲシステムの状況において既知の電磁場を放出するために使用されてもよい。
【００４１】
ここで図６を参照すると、電磁追跡システムは、ハンドヘルドコントローラ６０６の一部として組み込まれる電磁場エミッタ６０２とともに、示されるように、ＡＲシステムとともに組み込まれてもよい。コントローラ６０６は、ＡＲヘッドセット（またはベルトパック７０）に対して独立して移動可能であることができる。例えば、ユーザは、コントローラ６０６をその手の中に保持することができる、またはコントローラは、ユーザの手または腕に搭載され得る（例えば、指輪またはブレスレットとして、またはユーザによって装着される手袋の一部として）。１つ以上の実施形態では、ハンドヘルドコントローラは、ゲームシナリオにおいて使用されるため、または豊かなユーザ体験をＡＲ環境内で提供するため、またはユーザがＡＲシステムと相互作用することを可能にするためのトーテムであってもよい（例えば、多自由度コントローラ）。他の実施形態では、ハンドヘルドコントローラは、触知デバイスであってもよい。さらに他の実施形態では、電磁場エミッタは、単に、ベルトパック７０の一部として組み込まれてもよい。ハンドヘルドコントローラ６０６は、電磁場エミッタ６０２に給電する、バッテリ６１０または他の電力供給源を備えてもよい。電磁場エミッタ６０２はまた、他のコンポーネントに対する電磁場エミッタ６０２の位置および／または配向の決定を補助するように構成される、ＩＭＵコンポーネント６５０を備える、またはそれに結合されてもよいことを理解されたい。これは、電磁場エミッタ６０２およびセンサ（６０４）の両方がモバイル式である場合、特に有利であり得る。図６の実施形態に示されるように、ベルトパックではなく、ハンドヘルドコントローラ内に電磁場エミッタ６０２を設置することは、電磁場エミッタがベルトパックにおいてリソースを競合するのではなく、むしろ、ハンドヘルドコントローラ６０６においてその独自のバッテリ源を使用することを確実にする。さらに他の実施形態では、電磁場エミッタ６０２は、ＡＲヘッドセット上に配置されることができ、センサ６０４は、コントローラ６０６またはベルトパック７０上に配置されることができる。
【００４２】
１つ以上の実施形態では、電磁センサ（６０４）は、１つまたはそれを上回るＩＭＵまたは付加的磁束捕捉コイル（６０８）等、他の感知デバイスとともに、ユーザのヘッドセット上の１つ以上の場所に設置されてもよい。例えば、図６に示されるように、センサ（６０４、６０８）は、ヘッドセット（５８）の片側または両側に設置されてもよい。これらのセンサは、非常に小型（故に、ある場合には、低感度であり得る）に加工されるため、複数のセンサを有することは、効率および精度を改良し得る。１つ以上の実施形態では、１つ以上のセンサはまた、ベルトパック７０またはユーザの身体の任意の他の部分上に設置されてもよい。センサ（６０４、６０８）は、無線で、またはＢｌｕｅｔｏｏｔｈ（登録商標）を通して、センサ（およびそれが取り付けられるＡＲヘッドセット）の姿勢および配向を決定する、コンピューティング装置と通信してもよい。１つ以上の実施形態では、コンピューティング装置は、ベルトパック７０に常駐してもよい。他の実施形態では、コンピューティング装置は、ヘッドセット自体またはさらにハンドヘルドコントローラ６０６に常駐してもよい。コンピューティング装置は、ひいては、マッピングデータベース（例えば、パス可能世界モデル、座標空間等）を備え、姿勢を検出し、実オブジェクトおよび仮想オブジェクトの座標を決定してもよく、さらに、１つ以上の実施形態では、クラウドリソースおよびパス可能世界モデルに接続してもよい。
【００４３】
前述のように、従来の電磁エミッタは、ＡＲデバイスにおいて使用するために嵩張り過ぎ得る。したがって、電磁場エミッタは、従来のシステムと比較してより小型のコイルを使用して、コンパクトに加工されてもよい。しかしながら、電磁場の強度が場エミッタからの距離の三次関数として減少することを前提として、電磁センサ６０４と電磁場エミッタ６０２との間の半径が短いほど（例えば、約３〜３．５フィート）、図４に詳述されるもの等の従来のシステムと比較して、電力消費を低減させ得る。
【００４４】
本側面は、１つ以上の実施形態では、コントローラ６０６および電磁場エミッタ６０２に給電し得る、バッテリ６１０の寿命を延長させるために利用されてもよい。または、他の実施形態では、本側面は、電磁場エミッタ６０２において磁場を生成するコイルのサイズを縮小させるために利用されてもよい。しかしながら、同一の強度の磁場を得るために、電力は、増加される必要があり得る。これは、ハンドヘルドコントローラ６０６においてコンパクトに嵌合し得る、コンパクトな電磁場エミッタユニット６０２を可能にする。
【００４５】
いくつかの他の変更が、ＡＲデバイスのために電磁追跡システムを使用するときに行われてもよい。本姿勢報告レートは、非常に良好であるが、ＡＲシステムは、さらにより効率的な姿勢報告レートを要求してもよい。この目的を達成するために、ＩＭＵベースの姿勢追跡が、（加えて、または代替として）センサ内で使用されてもよい。有利には、ＩＭＵは、姿勢検出プロセスの効率を増加させるために、可能な限り安定したままでなければならない。ＩＭＵは、最大５０〜１００ミリ秒、安定したままであるように加工されてもよい。いくつかの実施形態は、姿勢更新が１０〜２０Ｈｚのレートで報告されることを可能にし得る、外部姿勢推定器モジュールを利用してもよいことを理解されたい（例えば、ＩＭＵは、経時的にドリフトし得る）。ＩＭＵを合理的比率に安定して保つことによって、姿勢更新レートは、１０〜２０Ｈｚまで著しく低下され得る（従来のシステムにおけるより高い周波数と比較して）。
【００４６】
電磁追跡システムが、例えば、１０％デューティサイクルにおいて起動され得る場合（例えば、１００ミリ秒毎にのみ接地にピングする）、これは、ＡＲシステムにおける電力を節約する別の方法となるであろう。これは、電磁追跡システムが、１００ミリ秒毎に１０ミリ秒にわたってウェイクアップし、姿勢推定値を生成することを意味するであろう。これは、直接、電力消費節約につながり、ひいては、ＡＲデバイスのサイズ、バッテリ寿命、およびコストに影響を及ぼし得る。
【００４７】
１つ以上の実施形態では、デューティサイクルの本低減は、１つのみではなく、２つのハンドヘルドコントローラ（図示せず）を提供することによって方略的に利用されてもよい。例えば、ユーザは、２つのトーテム等を要求する、ゲームをプレーしてもよい。または、マルチユーザゲームでは、２人のユーザが、その独自のトーテム／ハンドヘルドコントローラを有し、ゲームをプレーしてもよい。１つではなく、２つのコントローラ（例えば、各手に対する対称コントローラ）が、使用されるとき、コントローラは、オフセットデューティサイクルで動作してもよい。同一概念はまた、例えば、マルチプレーヤゲームをプレーしている２人の異なるユーザによって利用されるコントローラにも適用されてもよい。
【００４８】
ここで図７を参照すると、ＡＲデバイスの状況における電磁追跡システムを説明する例示的フロー図が、説明される。７０２では、ポータブル（例えば、ハンドヘルド）コントローラが、磁場を放出する。７０４では、電磁センサ（ヘッドセット、ベルトパック等上に設置される）が、磁場を検出する。７０６では、ヘッドセット／ベルトの姿勢（例えば、位置または配向）は、センサにおけるコイル／ＩＭＵの挙動に基づいて決定される。７０８では、姿勢情報が、コンピューティング装置（例えば、ベルトパックまたはヘッドセットにおける）に伝達される。７１０では、随意に、マッピングデータベース（例えば、パス可能世界モデル）は、実世界座標（例えば、ヘッドセット／ベルトの姿勢に関して決定される）と仮想世界座標を相関させるために調べられてもよい。７１２では、仮想コンテンツは、ＡＲヘッドセットにおいてユーザに配信され、ユーザに表示されてもよい（例えば、本明細書に説明されるライトフィールドディスプレイを介して）。前述のフロー図は、例証目的にすぎず、限定として読み取られるべきではないことを理解されたい。
【００４９】
有利には、図６に概略されるものに類似する電磁追跡システムの使用は、姿勢追跡を可能にする（例えば、頭部位置および配向、トーテムおよび他のコントローラの位置および配向）。これは、ＡＲシステムが、光学追跡技法と比較して、より高い正確度およびより短い待ち時間を伴って、仮想コンテンツを投影することを可能にする（少なくとも部分的に、決定された姿勢に基づいて）。
【００５０】
図８を参照すると、多くの感知コンポーネントを特徴とする、システム構成が、図示される。頭部搭載型ウェアラブルコンポーネント（５８）は、ここでは、図９Ａ−９Ｆを参照して以下に説明されるように、制御および急速解除モジュール（８６）もまた特徴とする、物理的マルチコア導線を使用して、ベルトパック等のローカル処理およびデータモジュール（７０）に動作可能に結合（６８）されて示される。ローカル処理およびデータモジュール（７０）は、ここでは、低電力Ｂｌｕｅｔｏｏｔｈ（登録商標）等の無線接続によって、ハンドヘルドコンポーネント（６０６）に動作可能に結合（１００）されてもよい。ハンドヘルドコンポーネント（６０６）はまた、低電力Ｂｌｕｅｔｏｏｔｈ（登録商標）等の無線接続等によって、直接、頭部搭載型ウェアラブルコンポーネント（５８）に動作可能に結合（９４）されてもよい。概して、ＩＭＵデータが、種々のコンポーネントの座標姿勢検出にパスされる場合、数百または数千サイクル／秒またはより高い範囲内等、高周波数接続が、望ましい。センサ（６０４）および送信機（６０２）ペアリング等による電磁位置特定感知のためには、数十サイクル／秒が、適正であり得る。また、壁（８）等のユーザの周囲の実世界内の固定オブジェクトを表す、大域座標系（１０）も示される。
【００５１】
クラウドリソース（４６）はまた、それぞれ、ローカル処理およびデータモジュール（７０）に、頭部搭載型ウェアラブルコンポーネント（５８）に、壁（８または大域座標系１０に対して固定される他のアイテムに結合され得るリソースに動作可能に結合（４２、４０、８８、９０）されてもよい。壁（８）に結合される、または大域座標系（１０）に対して既知の位置および／または配向を有する、リソースは、無線送受信機（１１４）、電磁エミッタ（６０２）および／または受信機（６０４）、赤外線ＬＥＤビーコン等の所与のタイプの放射線を放出または反射させるように構成されるビーコンまたは反射体（１１２）、セルラーネットワーク送受信機（１１０）、ＲＡＤＡＲエミッタまたは検出器（１０８）、ＬＩＤＡＲエミッタまたは検出器（１０６）、ＧＰＳ送受信機（１１８）、既知の検出可能パターン（１２２）を有するポスタまたはマーカ、およびカメラ（１２４）を含んでもよい。
【００５２】
頭部搭載型ウェアラブルコンポーネント（５８）は、赤外線カメラ（１２４）のための赤外線エミッタ（１３０）等のカメラ（１２４）検出器を補助するように構成される光エミッタ（１３０）に加え、図示されるような類似コンポーネントを特徴とする。頭部搭載型ウェアラブルコンポーネント（５８）はまた、１つ以上の歪みゲージ（１１６）を特徴とし、これは、頭部搭載型ウェアラブルコンポーネント（５８）のフレームまたは機械的プラットフォームに固定して結合され、電磁受信機センサ（６０４）またはディスプレイ要素（６２）等のコンポーネント間のそのようなプラットフォームの偏向を決定するように構成されてもよく、図８に描写される眼鏡様プラットフォーム上の突出部の上方の部分等のプラットフォームの薄い部分等においてプラットフォームの屈曲が生じた場合、それを理解することが重要であり得る。
【００５３】
頭部搭載型ウェアラブルコンポーネント（５８）はまた、プロセッサ（１２８）と、１つ以上のＩＭＵ（１０２）とを特徴とする。コンポーネントはそれぞれ、好ましくは、プロセッサ（１２８）に動作可能に結合される。ハンドヘルドコンポーネント（６０６）およびローカル処理およびデータモジュール（７０）は、類似コンポーネントを特徴とするように図示される。図８に示されるように、そのように多くの感知およびコネクティビティ手段を用いることで、そのようなシステムは、重く、電力を大量に消費し、大型で、かつ比較的に高価である可能性が高い。しかしながら、例証目的のために、そのようなシステムは、非常に高レベルのコネクティビティ、システムコンポーネント統合、および位置／配向追跡を提供するために利用されてもよい。例えば、そのような構成を用いることで、種々の主要モバイルコンポーネント（５８、７０、６０６）は、Ｗｉ−Ｆｉ、ＧＰＳ、またはセルラー信号三角測量を使用して、大域座標系に対する位置の観点から位置特定されてもよく、ビーコン、電磁追跡（本明細書に説明されるように）、ＲＡＤＡＲ、およびＬＩＤＩＲシステムはさらに、場所および／または配向情報およびフィードバックを提供してもよい。マーカおよびカメラもまた、相対および絶対位置および配向に関するさらなる情報を提供するために利用されてもよい。例えば、頭部搭載型ウェアラブルコンポーネント（５８）に結合されて示されるもの等の種々のカメラコンポーネント（１２４）は、コンポーネント（５８）が他のコンポーネントに対して配向される場所およびその状態を決定するために、同時位置特定およびマッピングプロトコル、すなわち、「ＳＬＡＭ」において利用され得る、データを捕捉するために利用されてもよい。
【００５４】
図９Ａ−９Ｆを参照すると、制御および急速解除モジュール８６の種々の側面が、描写される。図９Ａを参照すると、２つの外側筐体コンポーネント（１３２、１３４）が、機械的掛止を用いて増強され得る、磁気結合構成を使用して、ともに結合される。関連付けられたシステムの動作のためのボタン（１３６）、例えば、オン／オフボタン（円形ボタン）および上／下音量制御（三角形ボタン）が、含まれてもよい。モジュール８６の対向端部は、図８に示されるように、ローカル処理およびデータモジュール（７０）とディスプレイ（６２）との間に延設される電気導線に接続されることができる。
【００５５】
図９Ｂは、外側筐体（１３２）が除去され、ボタン（１３６）および下層上部印刷回路基板（１３８）が示される、部分的切断図を図示する。図９Ｃを参照すると、ボタン（１３６）および下層上部印刷回路基板（１３８）が除去され、メス型接触ピンアレイ（１４０）が、可視である。図９Ｄを参照すると、筐体（１３４）の反対部分が除去され、下側印刷回路基板（１４２）が、可視である。下側印刷回路基板（１４２）が除去され、図９Ｅに示されるように、オス型接触ピンアレイ（１４４）が、可視である。
【００５６】
図９Ｆの断面図を参照すると、オス型ピンまたはメス型ピンのうちの少なくとも１つが、各ピンの縦軸に沿って押下され得るように、ばね荷重されるように構成される。ピンは、「ポゴピン」と称され得、概して、銅または金等の非常に伝導性の材料から含んでもよい。伝導性材料は、ピン上に鍍着されてもよく（例えば、浸漬または電気めっき）、伝導性材料の幅は、例えば、ある場合には、金の少なくとも２５μｍであってもよい。組み立てられると、図示される構成は、４６個のオス型ピンと４６個の対応するメス型ピンを噛合させ、アセンブリ全体は、２つの筐体（１３２、１３４）を手動で引き離し、ピンアレイ（１４０、１４４）の周縁の周囲に配向される北および南磁石を使用して発生され得る、磁気インターフェース１４６荷重を克服させることによって、急速解除式に分断されてもよい。一実施形態では、４６個のポゴピンを圧縮することからの約２ｋｇの荷重が、磁気インターフェース（１４６）によって提供される約４ｋｇの閉鎖維持力と対抗される。アレイ内のピンは、約１．３ｍｍずつ分離されてもよく、ピンは、ツイストペアまたは他の組み合わせ等の種々のタイプの伝導性ラインに動作可能に結合され、ＵＳＢ３．０、ＨＤＭＩ（登録商標）２．０（デジタルビデオ用）、Ｉ２Ｓ（デジタルオーディオ用）、高速シリアルデータに対する遷移時間最短差動信号（ＴＭＤＳ）、汎用入／出力（ＧＰＩＯ）、およびモバイルインターフェース（例えば、ＭＩＰＩ）構成、バッテリ／電力接続、および一実施形態では、最大約４アンペアおよび５ボルトのために構成される、高電流アナログラインおよび接地等のインターフェースをサポートしてもよい。
【００５７】
一実施形態では、磁気インターフェース（１４６）は、概して、長方形であって、ピンアレイ（１４０、１４４）を囲繞し、約１ｍｍ幅および４．８ｍｍ高さである。長方形磁石の内径は、約１４．６ｍｍである。オス型ピンアレイ（１４４）を囲繞する磁石は、第１の極性（例えば、北）を有してもよく、メス型ピンアレイ（１４０）を囲繞する磁石は、第２の（反対）極性（例えば、南）を有してもよい。ある場合には、各磁石は、対向磁石が対応する反対極性を有する、北および南極性の混合を備え、磁気引力を提供し、筐体（１３２、１３４）をともに保持することを補助する。
【００５８】
アレイ（１４０、１４４）内のポゴピンは、４．０〜４．６ｍｍの範囲内の高さと、０．６〜０．８ｍｍの範囲内の直径とを有する。アレイ内の異なるピンは、異なる高さ、直径、およびピッチを有することができる。例えば、一実装では、ピンアレイ（１４０、１４４）は、約４２〜５０ｍｍの長さ、約７〜１０ｍｍの幅、および約５ｍｍの高さを有する。ＵＳＢ２．０および他の信号のためのピンアレイのピッチは、約１．３ｍｍであることができ、高速信号のためのピンアレイのピッチは、約２．０〜２．５ｍｍであることができる。
【００５９】
図１０を参照すると、最小限にされたコンポーネント／特徴セットを有し、種々のコンポーネントの重量および大きさを低減させる、または最小限にし、例えば、図１０に特徴付けられるもの（５８）等の比較的にスリムな頭部搭載型コンポーネントに到達することを可能にすることが有用である。したがって、図８に示される種々のコンポーネントの種々の順列および組み合わせが、利用されてもよい。
ＡＲシステム内の例示的電磁感知コンポーネント
【００６０】
図１１Ａを参照すると、電磁感知コイルアセンブリ（６０４、例えば、筐体に結合される３つの個々のコイル）が、頭部搭載型コンポーネント（５８）に結合されて示される。そのような構成は、付加的幾何学形状を全体的アセンブリに追加し、これは、望ましくない場合がある。図１１Ｂを参照すると、図１１Ａの構成におけるように、コイルをボックスまたは単一筐体内に格納するのではなく、個々のコイルは、図１１Ｂに示されるように、頭部搭載型コンポーネント（５８）の種々の構造の中に統合されてもよい。図１１Ｂは、Ｘ−軸コイル（１４８）、Ｙ−軸コイル（１５０）、およびＺ−軸コイル（１５２）のための頭部搭載型ディスプレイ５８上の場所の実施例を示す。したがって、感知コイルは、頭部搭載型ディスプレイ（５８）上またはそれを中心として空間的に分散され、電磁追跡システムによって、ディスプレイ（５８）の位置特定および／または配向の所望の空間分解能または正確度を提供することができる。
【００６１】
図１２Ａ−１２Ｅは、電磁センサに結合されるフェライトコア１２００ａ−１２００ｅを使用して、場感度を増加させるための種々の構成を図示する。図１２Ａは、立方体の形状における中実フェライトコア１２００ａを図示し、図１２Ｂは、相互から離間される複数の長方形ディスクとして構成されるフェライトコア１２００ｂを示し、図１２Ｃは、単軸空気コアを有するフェライトコア１２００ｃを示し、図１２Ｄは、３軸空気コアを有するフェライトコア１２００ｄを示し、図１２Ｅは、複数のフェライトロッドを筐体（プラスチックから作製されてもよい）内に備えるフェライトコア１２００ｅを示す。図１２Ｂ−１２Ｅの実施形態１２００ｂ−１２００ｅは、図１２Ａの中実コア実施形態１２００ａより重量が軽く、質量を節約するために利用されてもよい。図１２Ａ−１２Ｅでは、立方体として示されるが、フェライトコアは、他の実施形態では、異なるように成形されることができる。
ＥＭ追跡システムのための周波数分割多重化、時分割多重化、および利得制御
【００６２】
従来のＥＭ追跡ソリューションは、典型的には、周波数分割多重化（ＦＤＭ）回路設計または時分割多重化（ＴＤＭ）回路設計のいずれかを採用する。しかしながら、ＦＤＭ設計は、典型的には、より多くの電流を使用し、ＴＤＭ設計は、典型的には、限定数のユーザのみをサポートする。以下にさらに説明されるように、ＦＤＭおよびＴＤＭ設計の両方を融合する回路設計は、両方の利点を達成し得る。そのような設計の利点は、従来の設計と比較して、印刷回路基板（ＰＣＢ）の面積、材料コスト、使用される部品の数、および／または電流ドレインに関する節約を含むことができる。本設計はまた、複数のユーザに改良または最適性能をもたらすことができる。
【００６３】
図１３Ａは、周波数分割多重化されるＥＭ送信機（ＴＸ）回路１３０２の実施例を図式的に図示する、ブロック図である。ＥＭ送信機回路は、ＥＭ追跡システム内の３つの調整された直交コイルを駆動することができる。ＥＭ  ＴＸによって生成された時変ＥＭ場は、ＥＭ受信機によって感知されることができる（例えば、図１３Ｂを参照して説明される）。本回路は、マスタ制御ユニット（ＭＣＵ）を使用して、３つの異なる無線周波数（ＲＦ）周波数（ｆ１、ｆ２、およびｆ３）における３つの異なるシンセサイザを制御し、その出力は、フィルタリングされ（例えば、帯域通過フィルタ（ＢＰＦ）および随意のフェライトビーズ（ＦＢ）において）、増幅され（例えば、前置増幅器（ＰＡ）を介して）、個別のＸ、Ｙ、Ｚコイルにフィードされる。回路はまた、各コイルの中への電流が一定のままであることを確実にする、電流感知制御回路（Ｒ−感知および電流制御）を採用する。本回路はまた、図１３Ｂを参照して説明されるＥＭ受信機ユニットと通信するＭＣＵに接続される、ＲＦ無線通信インターフェース（例えば、Ｂｌｕｅｔｏｏｔｈ（登録商標）低エネルギー（ＢＬＥ））を有する。
【００６４】
図１３Ｂは、周波数分割多重化されるＥＭ受信機（ＲＸ）回路１３０４の実施例を図式的に図示する、ブロック図である。ＥＭ受信機は、３つの直交コイル（周波数ｆ１で動作するＸ−コイル、周波数ｆ２で動作するＹ−コイル、および周波数ｆ３で動作するＺ−コイル）を使用して、ＥＭ  ＴＸ回路１３０２によって生成された時変ＥＭ信号を受信する（例えば、図１３Ａ参照）。３つの信号は、並行して、個々に増幅され（例えば、前置増幅器（ＰＡ）を介して）、フィルタリングされる（例えば、帯域通過フィルタ（ＢＰＦ）によって）。随意に、フィルタ出力はさらに、増幅されてもよい。増幅された出力は、次いで、アナログ／デジタル（ＡＤＣ）の中にフィードされ、デジタル信号は、デジタル信号プロセッサ（ＤＳＰ）によって処理される。ＤＳＰは、前置増幅器の利得を制御し、ＡＤＣを飽和しないように保つことができる。本受信機設計はまた、ＥＭ送信機と通信するＤＳＰ（またはＭＣＵ）に接続される、無線周波数（ＲＦ）通信リンクを有する（例えば、図１３Ｂを参照して説明される）。ＲＦリンクは、Ｂｌｕｅｔｏｏｔｈ（登録商標）低エネルギー（ＢＬＥ）を含む、任意の好適な無線規格をサポートするように構成されることができる。
【００６５】
図１３Ａおよび１３Ｂに示されるＥＭ  ＴＸおよびＲＸ回路１３０２、１３０４（および図１３Ｃ−１３Ｊを参照して以下に説明されるＴＸおよびＲＸ回路）は、ＥＭ追跡のために使用されることができる。例えば、ＥＭ  ＴＸ回路１３０２は、図４を参照して説明される、ＥＭ場エミッタ４０２内で使用され、ＥＭ  ＲＸ回路１３０４は、ＥＭ場センサ４０４内で使用されることができる。ＥＭ  ＴＸおよびＲＸ回路の付加的実施形態は、例えば、低減された部品数、低減されたＰＣＢ面積、より低い材料コスト等の利点を提供することができ、複数のユーザに最適性能をもたらし得るように説明されるであろう。
【００６６】
図１３Ｃは、時分割多重化されるＥＭ送信機回路１３０２の実施例を図式的に図示する、ブロック図である。本実施形態では、図１３ＡのＦＤＭ回路は、時分割多重化回路に変更されている。ＴＤＭ回路は、３つの直交コイルに分割される、１つのみの経路を使用する。Ｘ、Ｙ、およびＺ−コイルは、それぞれ、周波数ｆ１、ｆ２、およびｆ３において動作し、ＥＭ受信機回路によって受信される時変ＥＭ場を生成する。ＴＤＭ回路は、ＴＤＭタイミングプロトコルに従って、個別の時間ｔ１、ｔ２、およびｔ３においてこれらのコイルを動作させることができる（例えば、図１３Ｆおよび１３Ｇ参照）。自動利得制御（ＡＧＣ）は、送信機回路内に含まれることができる（図１３Ｉおよび１３Ｊを参照して以下にさらに説明される）。各コイルは、ＭＣＵによって割り当てられる所望の周波数に動的に周波数調整されることができる。
動的周波数調整
【００６７】
動的周波数調整は、各コイル上で共振を達成し、ＥＭ  ＴＸ回路内の増加されたまたは最大の電流フローを取得するために使用されることができる。動的周波数調整は、複数のユーザに適応するために使用されることができる。図１３Ｄは、動的に調整可能な回路１３０６の実施例を図式的に図示する、ブロック図である。動的に調整可能な回路１３０６の他の実施形態は、図１７Ｄ−１７Ｇを参照して説明される。図１３Ｄに示される回路では、伝送コイルは、インダクタＬ１によって表される。静的コンデンサ（Ｃ２）は、調整可能コンデンサ（Ｃ１）と並列である。本実施例では、コンデンサＣ１を調整することによってコイルによって生成される周波数は、周波数範囲１６ｋＨｚ〜３０ｋＨｚを網羅する。図１３Ｅは、図１３Ｄに示される回路１３０６を動的に調整することによって達成され得る、種々の周波数（１６ｋＨｚ〜３０ｋＨｚ）における共振の実施例を示す、グラフである。複数のユーザに適応するために、例示的動的周波数調整回路は、ユーザあたり１つの伝送（ＴＸ）周波数を採用することができる。周波数割当の実施例は、表１に示される。
【表１】
2019522832.tif 000003
時分割多重化
【００６８】
いくつかの実施形態では、送信機上で時分割多重化を達成するために、送信機および受信機回路間の同期が、利用されてもよい。同期のための２つの可能性として考えられるシナリオが、以下に議論される。
【００６９】
第１のシナリオは、受信機および送信機の両方のＲＦ無線インターフェース（例えば、ＢＬＥ）を通して同期を使用する。無線ＲＦリンクは、送信機および受信機の両方のクロックを同期させるために使用されることができる。同期が達成された後、時分割多重化は、オンボードリアルタイムクロック（ＲＴＣ）に参照されることができる。
【００７０】
第２のシナリオは、電磁パルスを通して同期を使用する。ＥＭパルスの飛行時間は、ＴＤＭ回路内で典型的に使用される公差より有意に短く、無視されてもよい。ＴＸ  ＥＭパルスは、送信機によって、受信機クロックと送信機クロックとの間の時間差異を計算する、受信機に送信される。本時間差異は、ＲＦ無線リンクを経由して、既知のオフセットとして通信される、または無線インターフェース（例えば、ＢＬＥ）クロック上の基準を調節するために使用される。
【００７１】
いくつかの実施形態では、これらの同期シナリオの一方または両方が、実装されることができる。同期が完了された後、送信機および受信機のためのＴＤＭに関する時間シーケンスが、確立されることができる。図１３Ｆは、ＴＤＭタイミング図１３０８の実施例を図示する。Ｘ−コイル上のＴＸは、受信機のＸ、Ｙ、およびＺコイルがＸ−コイルによって生成された磁束を受信することを可能にする、第１の期間にわたってオンのまま留まるであろう。第１の期間の間、Ｙ−コイルおよびＺ−コイル上のＴＸは、実質的にオフである（例えば、コイルは、完全にオフである、またはその通常動作電圧をはるかに下回る（例えば、＜１０％、＜５％、＜１％等）電圧で動作する）。Ｘ−コイル伝送に続いて、Ｙ−コイル上のＴＸは、オンになり（かつＸ−コイルは、実質的にオフになるであろう一方、Ｚ−コイルは、実質的にオフのままである）、受信機上のＸ、Ｙ、およびＺコイルは、ＴＸ  Ｙ−コイルによって生成された磁束を受信するであろう。Ｙ−コイル伝送に続いて、Ｚ−コイル上のＴＸは、オンになり（かつＹ−コイルは、実質的にオフになるであろう一方、Ｘ−コイルは、実質的にオフのままである）、受信機のＸ、Ｙ、およびＺコイルは、ＴＸ  Ｚ−コイルによって生成された磁束を受信するであろう。本タイミングシーケンスは、次いで、ＥＭ送信機が動作する間、持続的に繰り返される。
【００７２】
以下は、複数のユーザに適応する非限定的例証的実施例を説明する。例えば、それぞれ８つのＴＸ周波数を要求する、２つの送信機を伴う、最大４人のユーザに適応する。概して、これらの周波数が、重複されない場合、有利である。そのような実施形態では、走査プロセスが、ＥＭ受信機によって実装され、特定の周波数が近接近度で使用されているかどうかを決定することができる。図１３Ｇは、走査タイミング１３１０の実施例を図示する。本走査は、初期化時およびユーザのセッションの間に周期的に、ＥＭ受信機１３０４によって行われることができる。走査は、送信機１３０２内のＴＸを意図的にオフにし、（受信機１３０４内の）ＲＸを通して巡回させ、非意図的干渉の存在を測定することによって、実施されることができる。その周波数におけるエネルギーが存在することが決定された場合、代替周波数が、選択されることができる。本走査はまた、位置および配向（ＰｎＯ）がそのスロット内で要求されないため、３つの直交コイルの１つまたは２つ（全３つではなく）を監視することによって短縮されることができる。
【００７３】
図１３Ｈは、ＥＭ追跡システム内の受信機１３０４の別の実施例を図式的に図示する、ブロック図である。図１３Ｂに図示される例示的ＦＤＭ受信機と比較されるように、ＴＤＭスイッチが、３つの直交コイルからの個々の経路に取って代わっている。ＴＤＭスイッチは、ＲＦ無線インターフェース（例えば、ＢＬＥ）によって制御されることができる。ＴＤＭスイッチは、図１３Ｆに図示されるタイミングプロトコル１３０８を利用することができる。
【００７４】
種々の実施形態では、図１３Ｃ−１３Ｈを参照して説明される時分割多重化ＴＸおよび／またはＲＸ回路は、以下の利点のうちの１つ以上のものを提供し得る。（Ａ）電流ドレインおよびバッテリ寿命。送信機および受信機を時間多重化することによって、使用される電流の量が、低下され得る。本低減は、送信機等の高電流回路がもはや１００％の時間を利用していないという事実から生じる。システムの電流ドレインは、図１３Ａおよび１３Ｂに示されるＦＤＭ回路と比較して、１／３をわずかに上回って低減されることができる。（Ｂ）材料コストの請求額。同一結果を達成するために使用されるコンポーネントの数は、上記に説明されるＴＤＭ実施形態において低減されている（図１３Ａおよび１３ＢにおけるＦＤＭ回路と比較して）。同一経路を通した信号の多重化は、部品数を低減させ、この場合、コンポーネントのコストもまた、ＦＤＭ対応物と比較して１／３をわずかに上回って低減されるはずである。（Ｃ）ＰＣＢ面積。部品低減の別の利点は、ＰＣＢ面積において得られる節約であり得る。部品数は、ほぼ２／３低減され、したがって、ＰＣＢ上で要求される空間も、低減される。
【００７５】
他の可能性として考えられる利点は、ＴＸおよびＲＸ回路の低減された質量であり得る。例えば、図１３Ａおよび１３Ｂに示されるＦＤＭ  ＴＸおよびＲＸ回路は、３つの直交コイル毎に別個のフィルタおよび増幅器経路を利用する。対照的に、図１３Ｃおよび１３Ｈに図示されるＴＤＭ  ＴＸおよびＲＸ回路は、フィルタおよび増幅器経路を共有する。
【００７６】
センサ筐体を除去し、多重化し、頭部上のハードウェアを節約することに加え、信号対ノイズ比が、１つを上回るセットの電磁センサを有することによって増加されてもよく、各セットは、単一のより大きいコイルセットに対して比較的に小さい。また、概して、複数の感知コイルを近接近して有するために必要とされる、低側周波数限界が、帯域幅要件改良を促進するために改良されてもよい。多重化が、概して、時間的にＲＦ信号の受信を拡散させ、概して、よりノイズの多い信号をもたらすという点において、概して、ＴＤ多重化とのトレードオフが存在する。したがって、より大きいコイル直径が、多重化システムのために使用されてもよい。例えば、多重化システムは、９ｍｍ辺寸法の立方体コイルセンサボックスを利用してもよく、非多重化システムは、類似性能のために、７ｍｍ辺寸法の立方体コイルボックスのみを利用してもよい。したがって、幾何学形状および質量を最小限にし、ＦＤＭおよびＴＤＭ回路の実施形態間で選択する際、トレードオフが存在し得る。
電磁追跡システムのための例示的自動利得制御
【００７７】
図１３Ａおよび１３Ｂを参照すると、ＦＤＭ受信機（図１３Ｂ）は、閉ループ利得制御を実装する一方、ＦＤＭ送信機（図１３Ａ）は、利得制御を実装せず、受信されたレベルにかかわらず、その最大出力電力で伝送するままにされる。受信機の利得は、ＤＳＰによって設定されることができる。例えば、受信機コイル上の受信された電圧は、利得制御を有する第１の段の中に直接的にフィードされる。大電圧は、ＤＳＰ内で決定されることができ、ＤＳＰは、自動的に、第１の段の利得を調節することができる。利得制御を受信機内に設置することは、必要とされないときでも、送信機内でより多くの電力を利用し得る。故に、自動利得制御（ＡＧＣ、時として、適応利得制御とも称される）を送信機側（受信機側ではなく）上で採用することが有利であり得、これは、受信機システム内の空間（そうでなければＡＧＣのために使用されるであろう）を節約し、それによって、はるかに小型かつポータブルな受信機を可能にし得る。
【００７８】
図１３Ｉは、自動利得制御（ＡＧＣ）を利用しない、ＥＭ受信機１３０４の実施例を図式的に図示する、ブロック図である。第１の段は、もはやＡＧＣ回路ではなく（図１３Ｂと比較して）、受信機は、単に、一定利得を有するように設計される。コイル上で受信された電圧のレベルは、ＤＳＰによって決定され、ＤＳＰは、その情報を無線（例えば、ＢＬＥ）リンクに提供する。本ＢＬＥリンクは、その情報を送信機に提供し、ＴＸレベルを制御することができる（図１３Ｊ参照）。
【００７９】
図１３Ｊは、ＡＧＣを採用する、ＥＭ送信機１３０２の実施例を図式的に図示する、ブロック図である。図１３ＪのＥＭ送信機１３０２は、図１３Ｉの受信機１３０４と通信することができる。無線リンク（例えば、ＢＬＥ）は、受信された電圧レベル（受信機上のＢＬＥリンクから）をＭＣＵに通信する。増幅段は、ＭＣＵによって制御される、調節可能利得を有することができる。これは、要求される受信された電圧が小さいとき、送信機上の電流節約を可能にすることができる。
【００８０】
故に、図１３Ｉおよび１３ＪにおけるＲＸおよびＴＸ回路実施例は、ＥＭ受信機１３０４の代わりに、ＥＭ送信機１３０２内でＡＧＣを採用する。図１３Ａおよび１３ＢにおけるＲＸおよびＴＸ回路実施例からの本変化は、ＴＸ電力が必要なときに低減させることを可能にされるであろうため、より小型のＲＸ設計およびより電力効率的設計を可能にすることができる。
ユーザ頭部姿勢または手姿勢のＥＭ追跡の実施例
【００８１】
図１４を参照すると、一実施形態では、ユーザがそのウェアラブルコンピューティングシステム（１６０）に電源を投入後、頭部搭載型コンポーネントアセンブリは、ＩＭＵおよびカメラデータ（カメラデータは、例えば、より多くのＲＡＷ処理能力が存在し得る、ベルトパックプロセッサ等のＳＬＡＭ分析のために使用される）の組み合わせを捕捉し、実世界大域座標系（１６２）に対する頭部の姿勢（例えば、位置または配向）を決定および更新してもよい。ユーザはまた、ハンドヘルドコンポーネントを能動化し、例えば、拡張現実ゲーム（１６４）をプレーしてもよく、ハンドヘルドコンポーネントは、ベルトパックおよび頭部搭載型コンポーネント（１６６）の一方または両方に動作可能に結合される電磁送信機を備えてもよい。頭部搭載型コンポーネントに結合される１つ以上の電磁場コイル受信機セット（例えば、セットは、３つの異なるように配向される個々のコイルである）が、送信機から磁束を捕捉し、これは、頭部搭載型コンポーネントとハンドヘルドコンポーネント（１６８）との間の位置または配向差（または「デルタ」）を決定するために利用されてもよい。大域座標系に対する姿勢の決定を補助する頭部搭載型コンポーネントと、頭部搭載型コンポーネントに対するハンドヘルドの相対的場所および配向の決定を補助するハンドヘルドの組み合わせは、システムが、概して、各コンポーネントが大域座標系に対して位置する場所、したがって、ユーザの頭部の姿勢を決定することを可能にし、ハンドヘルド姿勢は、好ましくは、拡張現実画像特徴の提示と、ハンドヘルドコンポーネント（１７０）の移動および回転を使用した相互作用とのために、比較的に短待ち時間で追跡され得る。
【００８２】
図１５を参照すると、図１４のものに幾分類似するが、ユーザの頭部の姿勢およびハンドヘルド姿勢が、好ましくは、拡張現実画像特徴の提示と、ハンドヘルドコンポーネント（１８０）の移動および回転を使用した相互作用とのために、比較的に短待ち時間において追跡され得るように、システムが頭部搭載型コンポーネント（１７２）およびハンドヘルドコンポーネント（１７６、１７８）の両方の姿勢の決定を補助するために利用可能なより多くの感知デバイスおよび構成を有する、実施形態が、図示される。
例示的ステレオおよび飛行時間深度感知
【００８３】
図１６Ａおよび１６Ｂを参照すると、図８のものに類似する構成の種々の側面が、示される。図１６Ａの構成は、ＬＩＤＡＲ（１０６）タイプの深度センサに加え、図１６Ａの構成が、例証目的のために、例えば、ステレオ三角測量式深度センサ（受動ステレオ深度センサ、テクスチャ投影ステレオ深度センサ、または構造化光ステレオ深度センサ等）または飛行時間式深度センサ（ＬＩＤＡＲ深度センサまたは変調放出深度センサ等）のいずれかであり得る、汎用深度カメラまたは深度センサ（１５４）を特徴とするという点において、図８のものと異なる。さらに、図１６Ａの構成は、付加的前向き「世界」カメラ（１２４、７２０ｐ範囲の分解能が可能なセンサを有する、グレースケールカメラであってもよい）および比較的に高分解能「写真カメラ」（１５６、例えば、２メガピクセル以上の高い分解能が可能なセンサを有する、フルカラーカメラであってもよい）を有する。図１６Ｂは、図１６Ｂを参照して以下にさらに説明されるように、例証目的のために、図１６Ａの構成の部分的直交図を示す。
【００８４】
図１６Ａおよび前述のステレオ対飛行時間式深度センサに戻って参照すると、これらの深度センサタイプはそれぞれ、本明細書に開示されるようなウェアラブルコンピューティングソリューションとともに採用され得るが、それぞれ、種々の利点および不利点を有する。例えば、多くの深度センサは、黒色表面および光輝または反射表面に関する課題を有する。受動ステレオ深度感知は、深度カメラまたはセンサを用いて深度を計算するために三角測量を得るという比較的に単純な方法であるが、広視野（「ＦＯＶ」）が要求される場合、課題となり得、比較的に有意なコンピューティングリソースを要求し得る。さらに、そのようなセンサタイプは、将来的特定のユースケースに重要であり得る、エッジ検出に関する課題を有し得る。受動ステレオは、無テクスチャ壁、低光状況、および繰り返されるパターンに関する課題を有し得る。受動ステレオ深度センサは、ＩｎｔｅｌおよびＡｑｕｉｆｉ等の製造業者から利用可能である。テクスチャ投影を伴うステレオ（「能動ステレオ」としても知られる）は、受動ステレオに類似するが、テクスチャプロジェクタは、投影パターンを環境上にブロードキャストし、よりテクスチャが、ブロードキャストされ、より正確度が、深度計算のための三角測量において利用可能である。能動ステレオもまた、比較的に高算出リソースを要求し、広ＦＯＶが要求されるとき課題を提示し、幾分、エッジを検出する際に準最適であり得るが、無テクスチャ壁に効果的であって、低光において良好であって、概して、繰り返しパターンに関する問題を有していないという点において、受動ステレオの課題のうちのいくつかに対処する。能動ステレオ深度センサは、ＩｎｔｅｌおよびＡｑｕｉｆｉ等の製造業者から利用可能である。
【００８５】
Ｐｒｉｍｅｓｅｎｓｅ，  Ｉｎｃ．によって開発され、商標名Ｋｉｎｅｃｔ下で利用可能なシステム、および、概して、単一カメラ／プロジェクタペアリングおよびプロジェクタを利用する、Ｍａｎｔｉｓ  Ｖｉｓｉｏｎ，  Ｉｎｃ．から利用可能なシステム等の構造化光を伴うステレオは、先験的に既知のドットのパターンをブロードキャストするように構成されるという点において特殊である。本質的に、システムは、ブロードキャストされるパターンを把握し、決定されるべき変数が深度であることを把握している。そのような構成は、算出負荷に関して比較的に効率的であり得、広ＦＯＶ要件シナリオおよび他の近傍デバイスからブロードキャストされる周囲光およびパターンを伴うシナリオでは、課題となり得るが、多くのシナリオにおいて非常に効果的かつ効率的であり得る。ＰＭＤ  Ｔｅｃｈｎｏｌｏｇｉｅｓ，  Ａ．Ｇ．およびＳｏｆｔＫｉｎｅｔｉｃ  Ｉｎｃ．から利用可能なもの等の変調飛行時間タイプ深度センサを用いることで、エミッタは、振幅変調光の正弦波等の波を送信するように構成されてもよい。いくつかの構成では、近傍に、またはさらに重複して位置付けられ得る、カメラコンポーネントが、カメラコンポーネントのピクセルのそれぞれ上への戻り信号を受信し、深度マッピングが、決定／計算されてもよい。そのような構成は、幾何学形状が比較的にコンパクトであって、高正確度、および低算出負荷であり得るが、画像分解能（オブジェクトのエッジにおいて等）、多経路誤差（センサが反射または光輝角に照準され、いくつかの深度検出エイリアシングが存在するように、検出器が１つを上回る戻り経路を受信する結果となる等）の観点から課題となり得る。
【００８６】
前述のＬＩＤＡＲとも称され得る、直接飛行時間センサが、ＬｕｍｉｎＡＲおよびＡｄｖａｎｃｅｄ  Ｓｃｉｅｎｔｉｆｉｃ  Ｃｏｎｃｅｐｔｓ，  Ｉｎｃ．等の供給業者から利用可能である。これらの飛行時間構成を用いることで、概して、光のパルス（ピコ秒、ナノ秒、またはフェムト秒長の光のパルス等）は、その周囲に配向される世界を包むように本光ピングとともに送信される。次いで、カメラセンサ上の各ピクセルは、そのパルスが戻って来るのを待機し、光の速度を把握することで、各ピクセルにおける距離が、計算され得る。そのような構成は、変調飛行時間センサ構成の利点（無ベースライン、比較的に広いＦＯＶ、高正確度、比較的に低い算出負荷等）の多く、また、数百万ヘルツ等の比較的に高フレームレートを有し得る。それらはまた、比較的に高価であって、比較的に低分解能を有し、明るい光に敏感であって、かつ多経路誤差を受けやすい。それらはまた、比較的に大型であって、かつ重くあり得る。
【００８７】
図１６Ｂを参照すると、部分的上面図が、例証目的のために示され、ユーザの眼（１２）と、視野（２８、３０）を伴うカメラ（１４、赤外線カメラ等）と、眼（１２）に向かって指向され、眼追跡、観察、および／または画像捕捉を促進する、光または放射線源（１６、赤外線等）とを特徴とする。３つの外向き世界捕捉カメラ（１２４）が、深度カメラ（１５４）およびそのＦＯＶ（２４）と、写真カメラ（１５６）およびそのＦＯＶ（２６）と同様に、そのＦＯＶ（１８、２０、２２）とともに示される。深度カメラ（１５４）から集められた深度情報は、重複ＦＯＶおよび他の前向きカメラからのデータを使用することによって強化されてもよい。例えば、システムは、深度センサ（１５４）からのサブＶＧＡ画像、世界カメラ（１２４）からの７２０ｐ画像、場合によって、写真カメラ（１５６）からの２メガピクセルカラー画像のようなもので構成され得る。そのような構成は、共通ＦＯＶを共有する４つのカメラを有し、そのうちの２つは、異種可視スペクトル画像を伴い、１つは、色を伴い、３つ目は、比較的に低分解能深度を伴う。システムは、グレースケールおよびカラー画像においてセグメント化を行い、それらの画像を融合し、比較的に高分解能画像をそれらから作成し、いくつかのステレオ対応を得て、深度センサを使用して、ステレオ深度についての仮説を提供し、ステレオ対応を使用して、深度センサのみから利用可能なものより有意に良好であり得る、より精緻化された深度マップを得るように構成されてもよい。そのようなプロセスは、ローカルモバイル処理ハードウェア上で起動されてもよい、または可能性として、エリア内の他者からのデータとともに（近傍で相互からテーブルを横断して着座している２人等）クラウドコンピューティングリソースを使用して、起動され、非常に精緻化されたマッピングとなり得る。別の実施形態では、前述のセンサは全て、１つの統合されたセンサに組み合わせられ、そのような機能性を遂行してもよい。
ＥＭ追跡のための伝送コイルの例示的動的調整
【００８８】
図１７Ａ−１７Ｇを参照すると、動的伝送コイル調整構成の側面は、伝送コイルが直交軸あたり複数の周波数で最適に動作することを促進する電磁追跡のために示され、これは、複数のユーザが同一システム上で動作することを可能にする。典型的には、電磁追跡送信機は、直交軸あたり固定周波数で動作するように設計されるであろう。そのようなアプローチを用いることで、各伝送コイルは、動作の周波数においてのみ共振を作成する、静的一連の静電容量を用いて調整される。そのような共振は、コイルを通した最大可能電流を可能にし、これは、ひいては、生成される磁束を最大限にする。図１７Ａは、固定動作周波数で共振を生成するために使用される、典型的共振回路１３０５を図示する。インダクタ「Ｌ」は、１ｍＨのインダクタンスを有し、静電容量が５２ｎＦに設定される、単軸伝送コイルを表し、共振は、図１７Ｂに示されるように、２２ｋＨｚで生成される。図１７Ｃは、周波数に対して図１７Ａにプロットされた回路１３０５を通る電流を示し、電流は、共振周波数で最大であることを理解されたい。本システムが、任意の他の周波数で動作することが予期される場合、動作回路は、可能性として考えられる最大電流（２２ｋＨｚの共振周波数で生じる）ではないであろう。
【００８９】
図１７Ｄは、電磁追跡システムの送信機１３０２の送信機回路１３０６のための動的に調整可能な構成の実施形態を図示する。図１７Ｄに示される例示的回路１３０６は、本明細書に説明されるＥＭ場エミッタ４０２、６０２、１３０２の実施形態において使用されてもよい。図１７Ｄにおける回路は、発振電圧源１７０２と、伝送（ＴＸ）コイルと、高電圧（ＨＶ）コンデンサと、所望の共振周波数のための調整を提供するように選択され得る、コンデンサバンク１７０４内の複数の低電圧（ＬＶ）コンデンサとを含む。動的周波数調整は、コイル上で共振を達成し（所望の動的に調節可能周波数において）、最大電流を得るように設定されてもよい。動的に調整可能な回路１３０６の別の実施例は、図１７Ｅに示され、調整可能コンデンサ１７０６（「Ｃ４」）は、図１７Ｆに図示されるシミュレートされたデータに示されるように、共振を異なる周波数で生産するように調整されてもよい。調整可能コンデンサの調整は、図１７Ｄに示される回路に図式的に図示されるように、複数の異なるコンデンサ間での切替を含むことができる。図１７Ｅの実施形態に示されるように、電磁追跡器の直交コイルのうちの１つは、インダクタ「Ｌ」としてシミュレートされ、静的コンデンサ（「Ｃ５」）は、固定高電圧コンデンサである。本高電圧コンデンサは、共振に起因して、より高い電圧を被り、したがって、そのパッケージサイズは、概して、より大きくなるであろう。コンデンサＣ４は、異なる値を用いて動的に切り替えられる、コンデンサであって、したがって、より低い最大電圧を被り、概して、より小さい幾何学的パッケージであって、設置空間を節約することができる。インダクタＬ３はまた、共振周波数を微調整するために利用されることができる。
【００９０】
図１７Ｆは、図１７Ｅの回路１３０６によって達成され得る、共振の実施例を図示する。図１７Ｆでは、より高い曲線（２４８）は、コンデンサＣ５を横断する電圧Ｖｍｉｄ−Ｖｏｕｔを示し、より低い曲線（２５０）は、コンデンサＣ４を横断する電圧Ｖｏｕｔを示す。Ｃ４の静電容量が、変動されるにつれて、共振周波数も、変化され（本実施例では、約２２ｋＨｚ〜３０ｋＨｚ）、Ｃ５を横断する電圧（Ｖｍｉｄ−Ｖｏｕｔ；曲線２４８）は、Ｃ４を横断するものより高い（Ｖｏｕｔ；曲線２５０）ことに留意されたい。これは、概して、複数の本コンデンサ、例えば、動作の共振周波数あたり１つのコンデンサが、概して、システム内で使用されるであろうため、Ｃ４上のより小さいパッケージ部分を可能にするであろう（例えば、図１７Ｄに示されるコンデンサバンク１７０４内の複数のＬＶコンデンサ参照）。図１７Ｇは、達成される最大電流が、コンデンサを横断する電圧にかかわらず、共振に続くことを図示する、電流対周波数のプロットである。故に、動的に調整可能な回路の実施形態は、複数の周波数を横断して送信機コイル内の増加または最大電流を提供し、単一ＥＭ追跡システムの複数のユーザのための改良または最適化された性能を可能にすることができる。
ＥＭ追跡システムのための例示的オーディオノイズキャンセル
【００９１】
オーディオスピーカ（または任意の外部磁石）は、ＥＭ追跡システムのＥＭ場エミッタによって生成された磁場に非意図的に干渉し得る、磁場を生成し得る。そのような干渉は、ＥＭ追跡システムによって提供される場所推定の正確度または信頼性を劣化させ得る。
【００９２】
ＡＲデバイスが進化するにつれて、それらは、より複雑となり、共存し、独立して実施する必要がある、より多くの技術を組み込む。ＥＭ追跡システムは、ＥＭセンサの３−Ｄ位置（それによって、センサが取り付けられる、または組み込まれる、オブジェクトの３−Ｄ位置）を決定するために、磁束の微細な変化（ＥＭ場エミッタによって生成される）の受信（ＥＭセンサによって）に依拠する。ＥＭ追跡センサコイルに近接して常駐する、オーディオスピーカは、真の位置を算出するＥＭ追跡システムの能力に干渉し得る、磁束を放出し得る。
【００９３】
図１８Ａ−１８Ｃを参照すると、電磁追跡システムは、ヒト聴力のための可聴範囲より若干高い約３０ｋＨｚを下回って機能するように境界されてもよい。図１８Ａは、オーディオスピーカ１８２０がＥＭセンサ６０４に近接近する構成を示す。オーディオスピーカ１８２０は、時変電圧源１８２２および増幅器１８２４によって駆動される。スピーカ１８２０の磁場は、スピーカがノイズをＥＭセンサ６０４のコイルによって感知される磁場内に生成するため、ＥＭ追跡システムへの非意図的磁気干渉を生じさせ得る。いくつかの実装では、オーディオスピーカ１８２０とＥＭセンサ６０４との間の距離は、受信された干渉を低減させるように増加されることができる。しかし、スピーカからの磁束は、センサからの距離の３乗（１／ｒ３）ずつ減衰するため、大距離が非常にわずかな減衰を干渉に提供するような点が存在するであろう。オーディオスピーカ（例えば、図２Ａ−２Ｄに示されるスピーカ６６）は、一般に、ＡＲデバイス内で使用され、オーディオ体験をＡＲデバイスの装着者に提供するであろう。したがって、オーディオスピーカは、同様にＡＲデバイス上に配置されるＥＭセンサの比較的に近傍にあることが一般的であり得る（例えば、図１１Ａに示される例示的ウェアラブルディスプレイデバイス５８内のスピーカ６６の近傍に配置されるＥＭセンサ６０４参照）。オーディオスピーカからの磁場は、ＥＭ追跡システムのＥＭセンサによって感知されるＥＭ場に干渉し得る。
【００９４】
図１８Ａを参照すると、そのような電磁追跡システムのために使用可能周波数内にノイズを生成する、いくつかのオーディオシステムが存在し得る。さらに、オーディオスピーカは、典型的には、電磁追跡システムにも干渉し得る、磁場および１つ以上のコイルを有する。図１８Ｂを参照すると、ブロック図が、電磁追跡システムのためのノイズキャンセルシステム１８３０の実施例のために示される。非意図的ＥＭ干渉は、既知のエンティティであるため（電圧源１８２２によってオーディオスピーカ１８２０に供給される信号が、既知である、または測定され得るため）、本知識は、オーディオスピーカ１８２０からのＥＭ干渉をキャンセルし、ＥＭ追跡システムの性能を改良するために使用されることができる。言い換えると、システムによって生成されたオーディオ信号は、ＥＭセンサ６０４のコイルによって受信されたスピーカからの磁気干渉を排除するために利用されてもよい。図１８Ｂに図式的に示されるように、ノイズキャンセル回路１８３０は、ＥＭセンサ６０４からの破損信号１８５０ａおよびオーディオシステムからの信号１８５０ｂを受け取るように構成されてもよい。ノイズキャンセルシステムは、信号１８５０ａ、１８５０ｂを組み合わせ、オーディオスピーカ１８２０から受信された干渉をキャンセルし、破損されていないセンサ信号１８５０ｃを提供することができる。
【００９５】
図１８Ｃは、オーディオ信号１８５０ｂが、反転され、破損されたセンサ信号１８５０ａに追加され、干渉をキャンセルし、実質的に破損されていないセンサ信号１８５０ｃを提供し得る方法の例証的非限定的実施例を示す、プロットである。上のプロットＶ（ｎｏｉｓｅ）は、オーディオスピーカ１８２０によってＥＭ追跡システムに追加されるノイズ信号１８５０ｂである。下のプロットＶ（ｃａｎｃｅｌ）は、反転されたオーディオ信号（例えば、−Ｖ（ｎｏｉｓｅ））であって、これらがともに追加されるとき、効果は、オーディオからのノイズ劣化がないものとなる。言い換えると、ノイズキャンセルシステムは、ＥＭ送信機コイルからの信号を表す真のＥＭセンサ信号Ｖ（ｓｅｎｓｏｒ）とノイズ信号の和Ｖ（ｓｅｎｓｏｒ）＋Ｖ（ｎｏｉｓｅ）である、破損された信号１８５０ａを受信する。反転されたオーディオ信号−Ｖ（ｎｏｉｓｅ）を破損された信号１８５０ａに追加することによって、破損されていない信号Ｖ（ｓｅｎｓｏｒ）１８５０ｃが、復元される。破損されていない信号１８５０ｃは、オーディオスピーカ６０４が存在しないかのようにセンサ６０４の応答を反映させ、したがって、ＥＭ送信機場をセンサ６０４の位置において反映させる。同等に、ノイズ信号１８５０ｂは、破損された信号１８５０ａから減算され、破損されていない信号Ｖ（ｓｅｎｓｏｒ）１８５０ｃを復元することができる。ノイズキャンセルは、ノイズ信号（例えば、オーディオスピーカからの）の実質的に全て（例えば、＞８０％、＞９０％、＞９５％、またはそれよりも多く）のキャンセルをもたらすことができる。本ノイズキャンセル技法は、オーディオスピーカノイズだけのキャンセルに限定されず、ノイズ信号の測定値（または推定値）が決定され得る場合（次いで、上記に説明されるように、ＥＭセンサ信号から除去され得るように）、ＥＭセンサ信号への他のノイズ干渉源にも適用されることができる。
【００９６】
図１８Ｄは、ＥＭ追跡システム内のＥＭセンサによって受信された干渉をキャンセルするための例示的方法１８００を示す、フローチャートである。方法１８００は、例えば、ローカル処理およびデータモジュール７０等のＡＲデバイス内のハードウェアプロセッサによって、またはＥＭ追跡システム内のハードウェアプロセッサによって実施されることができる。ブロック１８０２では、本方法は、ノイズ信号を電磁センサから受信する。上記に説明されるように、ノイズ信号は、電磁干渉を生成する、近傍オーディオスピーカからの干渉によって生じ得る。ブロック１８０４では、本方法は、信号をＥＭ干渉源から受信する。例えば、信号は、オーディオスピーカを駆動するために使用される信号１８５０ｂであることができる（例えば、図１８Ｂ参照）。ブロック１８０６では、ノイズ信号および干渉信号は、組み合わせられ、脱ノイズＥＭ信号を取得する。例えば、干渉信号は、反転され、ノイズ信号に追加されることができる、または干渉信号は、ノイズ信号から減算されることができる。ブロック１８０８では、脱ノイズ信号は、ＥＭセンサの場所を決定するために使用されることができる。脱ノイズ信号を使用して取得される場所（ノイズ信号の使用と比較して）は、より正確かつ信頼性がある。
【００９７】
故に、前述は、ＥＭ追跡器センサに近接するオーディオスピーカによって生成される非意図的ノイズを除去するための方法を提供する。本方法は、オーディオについての既知の情報を使用し、それをＥＭ追跡信号から除去する、ノイズキャンセル方法を採用する。本システムは、オーディオスピーカおよびＥＭセンサコイルの十分な物理的分離が達成されることができないときに使用されてもよい（干渉が十分に低くなるように）。前述では、干渉ノイズは、オーディオスピーカによって生成されるように説明されたが、これは、例証のためのものであって、限定ではない。前述の実施形態は、測定され、次いで、破損されたセンサ信号から減算され得る、任意の干渉信号に適用されることができる。
ビジョンシステムの例示的較正
【００９８】
図１９を参照すると、一実施形態では、光または他のエミッタの既知のパターン１９００（円形パターン等）が、ビジョンシステムの較正を補助するために利用されてもよい。例えば、円形パターンが、基準として利用されてもよい。すなわち、パターンに結合されるオブジェクトが再配向される間、既知の配向を伴うカメラまたは他の捕捉デバイスがパターンの形状を捕捉するにつれて、ハンドヘルドトーテムデバイス６０６等のオブジェクトの配向が、決定され得る。そのような配向は、誤差決定および較正における使用のために、オブジェクト（例えば、トーテム）上の関連付けられたＩＭＵから生じるものと比較されてもよい。図１９をさらに参照すると、光１９００のパターンが、ハンドヘルドトーテム６０６（図１９では、円筒形として図式的に表される）上の光エミッタ（例えば、複数のＬＥＤ）によって生産されてもよい。図１９に示されるように、トーテムが、ＡＲヘッドセット５８上のカメラによって真正面に視認されるとき、光１９００のパターンは、円形に現れる。トーテム６０６が、他の配向において傾斜されると、パターン１９００は、楕円形に現れる。光１９００のパターンは、コンピュータビジョン技法を使用して識別されることができ、トーテム６０６の配向が、決定されることができる。
【００９９】
種々の実装では、拡張現実デバイスは、１つ以上のコンピュータビジョン技法を実装し、光のパターンを識別する（または本明細書で使用または説明される他のコンピュータビジョンプロシージャを実施する）ように構成される、コンピュータビジョンシステムを含むことができる。コンピュータビジョン技法の非限定的実施例は、スケール不変特徴変換（ＳＩＦＴ）、スピードアップロバスト特徴（ＳＵＲＦ）、配向ＦＡＳＴおよび回転ＢＲＩＥＦ（ＯＲＢ）、バイナリロバスト不変スケーラブルキーポイント（ＢＲＩＳＫ）、高速網膜キーポイント（ＦＲＥＡＫ）、Ｖｉｏｌａ−Ｊｏｎｅｓアルゴリズム、Ｅｉｇｅｎｆａｃｅｓアプローチ、Ｌｕｃａｓ−Ｋａｎａｄｅアルゴリズム、Ｈｏｒｎ−Ｓｃｈｕｎｋアルゴリズム、Ｍｅａｎ−ｓｈｉｆｔアルゴリズム、視覚的同時位置推定およびマッピング（ｖＳＬＡＭ）技法、シーケンシャルベイズ推定器（例えば、カルマンフィルタ、拡張カルマンフィルタ等）、バンドル調節、適応閾値化（および他の閾値化技法）、反復最近傍点（ＩＣＰ）、セミグローバルマッチング（ＳＧＭ）、セミグローバルブロックマッチング（ＳＧＢＭ）、特徴点ヒストグラム、種々の機械学習アルゴリズム（例えば、サポートベクトルマシン、ｋ最近傍アルゴリズム、単純ベイズ、ニューラルネットワーク（畳み込みまたは深層ニューラルネットワークを含む）、または他の教師あり／教師なしモデル等）等を含む。
ウェアラブルディスプレイデバイスのサブシステムの例示的回路
【０１００】
図２０Ａ−２０Ｃを参照すると、構成が、頭部搭載型コンポーネントおよびベルトパックコンポーネント等のウェアラブルコンピューティング構成の２つのサブシステムまたはコンポーネント間の回路を簡略化するための加算増幅器２００２とともに示される。従来の構成では、電磁追跡センサ６０４のコイル２００４（図２０Ａの左）はそれぞれ、増幅器２００６と関連付けられ、３つの明確に異なる増幅された信号が、加算増幅器２００２および他のコンポーネント（例えば、図２０Ｂに示されるような処理回路）へのケーブル類を通して送信されることができる。図示される実施形態では、３つの明確に異なる増幅された信号は、加算増幅器２００２に指向されてもよく、これは、有利に簡略化されたケーブル２００８を辿って指向される１つの増幅された信号を生産し、各信号は、異なる周波数であってもよい。加算増幅器２００２は、増幅器によって受信された全３つの信号を増幅させる、次いで、アナログ／デジタル変換後、（図２０Ｂに図示されるように）デジタル信号プロセッサを受信し、他端において信号を分離するように構成されてもよい。利得制御が、使用されてもよい。図２０Ｃは、周波数（Ｆ１、Ｆ２、およびＦ３）毎のフィルタを図示し、したがって、信号は、そのような段において分離され戻され、出力されてもよい。３つの信号は、算出アルゴリズム（例えば、センサ姿勢を決定する）によって分析されてもよく、位置または配向結果は、ＡＲシステムによって使用されことができる（例えば、ユーザの瞬間頭部姿勢に基づいて、仮想コンテンツをユーザに適切に表示する）。
例示的ＥＭ追跡システム更新
【０１０１】
図２１を参照すると、電磁（「ＥＭ」）追跡更新は、ポータブルシステムのための電力の観点から比較的に「高価」であり得、非常に高周波数の更新が可能ではない場合がある。「センサ融合」構成では、ＩＭＵ等の別のセンサからのより頻繁に更新された位置特定情報は、比較的に高周波数であり得る、またはそうではあり得ない、光学センサ（例えば、カメラまたは深度カメラ）等の別のセンサからのデータとともに組み合わせられてもよい。これらの入力の全てを融合する正味の効果は、より低い需要をＥＭシステムにかけ、より迅速な更新を提供する。
【０１０２】
図１１Ｂに戻って参照すると、分散型センサコイル構成が、ＡＲデバイス５８のために示される。図２２Ａを参照すると、Ｘ、Ｙ、Ｚの方向毎に１つの３つの直交感知コイルを含有する筐体等の単一電磁センサデバイス（６０４）を伴うＡＲデバイス５８が、上記に説明されるように、６自由度追跡のためにウェアラブルコンポーネント（５８）に結合されてもよい。また、前述のように、そのようなデバイスは、図２２Ｂおよび２２Ｃに示されるように、ウェアラブルコンポーネント（５８）の異なる場所に取り付けられる３つのサブ部分（例えば、コイル）を伴って、統合解除されてもよい。図２２Ｃを参照すると、さらなる設計代替を提供するために、各個々のセンサコイルは、任意の所与の直交方向のための全体的磁束が、直交方向毎に単一コイルによってではなく、グループ（１４８、１５０、１５２）によって捕捉されるように、同様に配向されるコイルのグループと置換されてもよい。言い換えると、直交方向毎に１つのコイルではなく、より小さいコイルのグループが、利用され、その信号が、集約され、その直交方向のための信号を形成してもよい。頭部搭載型コンポーネント（５８）等の特定のシステムコンポーネントが２つ以上の電磁コイルセンサセットを特徴とする、別の実施形態では、システムは、相互に最も近い（例えば、１ｃｍ、２ｃｍ、３ｃｍ、４ｃｍ、５ｃｍ、または１０ｃｍ以内）センサおよびエミッタペアを選択的に利用し、システムの性能を改良または最適化するように構成されてもよい。
ウェアラブルディスプレイシステムを再較正する実施例
【０１０３】
図２３Ａ−２３Ｃを参照すると、本明細書で議論されるもの等のウェアラブルコンピューティングシステムを再較正することが有用であり得、一実施形態では、送信機において生成された音響（例えば、超音波）信号は、受信機における音響センサ（例えば、マイクロホン）および音響飛行時間計算とともに、送信機と受信機との間の音伝搬遅延、それによって、送信機と受信機との間の距離を決定するために利用されてもよい（音の速度が既知であるため）。図２３Ａは、一実施形態では、送信機上の３つのコイルが、正弦波のバーストで励起され、同時に、超音波変換器が、好ましくは、コイルのうちの１つと同一周波数の正弦波のバーストで励起され得ることを示す。図２３Ｂは、ＥＭ受信機が、Ｘ、Ｙ、Ｚセンサコイルを使用して、３つのＥＭ波と、マイクロホン（ＭＩＣ）を使用して、音響超音波とを受信するように構成されてもよいことを図示する。総距離は、３つのＥＭ信号の振幅から計算されてもよい。飛行時間（音伝搬遅延時間２３００）は、音響（マイクロホン）応答２３０２のタイミングとＥＭコイル２３０４の応答を比較することによって計算されてもよい（例えば、図２３Ｃ参照）。これはまた、距離を計算するために使用されてもよい。電磁的に計算された距離と音響遅延時間２３００の比較は、ＥＭ  ＴＸまたはＲＸ回路を較正するために使用されることができる（例えば、補正係数によって）。
【０１０４】
図２４Ａを参照すると、別の実施形態では、カメラを特徴とする拡張現実システムにおいて、距離が、ハンドヘルドコントローラ（例えば、コントローラ６０６）等の別のデバイス上の既知のサイズ整合特徴（図２４Ａでは矢印として描写される）のピクセル単位のサイズを測定することによって計算されてもよい。
【０１０５】
図２４Ｂを参照すると、別の実施形態では、赤外線（「ＩＲ」）深度センサ等の深度センサを特徴とする拡張現実システムにおいて、距離が、そのような深度センサによって計算され、直接、コントローラに報告されてもよい。
【０１０６】
図２４Ｃおよび２４Ｄを参照すると、いったん総距離が、把握されると、カメラまたは深度センサのいずれかが、空間内の位置を決定するために使用されることができる。拡張現実システムは、１つ以上の仮想整合標的をユーザに投影するように構成されてもよい。ユーザは、コントローラを標的に整合させてもよく、システムは、ＥＭ応答からおよび仮想標的の方向に加えて以前に計算された距離からの両方から位置を計算することができる。ロール角度較正が、コントローラ上の既知の特徴とユーザから投影された仮想標的を整合させることによって行われてもよい。ヨーおよびピッチ角度は、仮想標的をユーザに提示し、ユーザに、コントローラ上の２つの特徴と標的（ライフルの照準を合わせるように）を整合させることによって較正されてもよい。
【０１０７】
図２５Ａおよび２５Ｂを参照すると、ＥＭ追跡システムと関連付けられた固有の曖昧性が存在し得る。すなわち、受信機は、送信機の周囲の２つの対角線上の対向場所において類似応答を生成するであろう。例えば、図２５Ａは、類似応答を生成する、ハンドヘルドデバイス６０６および残影デバイス６０６ａを示す。そのような課題は、特に、送信機および受信機の両方が相互に対してモバイル性であり得るシステムにおいて関連する。
【０１０８】
一実施形態では、システムは、ＩＭＵセンサを使用して、ユーザが基準（例えば、対称）軸のプラス側に存在するかまたはマイナス側に存在するかを決定してもよい。世界カメラおよび深度カメラを特徴とする、上記に説明されるもの等のある実施形態では、システムは、その情報を使用して、ハンドヘルドコンポーネント（例えば、図２５Ｂにおけるハンドヘルド２５００）が基準軸の正の側にあるかまたは負の側にあるかを検出することができる。ハンドヘルド２５００が、カメラおよび／または深度センサの視野外にある場合、システムは、ハンドヘルドコンポーネント２５００がユーザのすぐ背後にある１８０度ゾーン内にある、例えば、図２５Ｂに示されるように、残影位置２５００ａにあることを決定するように構成されてもよい（またはユーザが決定してもよい）。
付加的側面および利点
【０１０９】
第１の側面では、頭部搭載型ディスプレイシステムは、装着者の眼の正面に位置付け可能なディスプレイと、ある周波数を有する磁場を生成するように構成される、電磁（ＥＭ）場エミッタと、その周波数において磁場を感知するように構成される、ＥＭセンサと、ＥＭセンサから、感知された磁場を示す信号を受信し、受信された信号を分析し、ＥＭセンサの位置または配向を決定するようにプログラムされる、プロセッサとを備える。
【０１１０】
第２の側面では、ディスプレイは、ライトフィールドディスプレイを備える、側面１に記載の頭部搭載型ディスプレイシステム。
【０１１１】
第３の側面では、ＥＭ場エミッタは、時分割多重化（ＴＤＭ）回路を備える、側面１または側面２に記載の頭部搭載型ディスプレイシステム。
【０１１２】
第４の側面では、ＴＤＭ回路は、複数の無線周波数（ＲＦ）送信機コイルのそれぞれにＴＤＭ切替される、単一増幅器回路を備える、側面３に記載の頭部搭載型ディスプレイシステム。
【０１１３】
第５の側面では、ＥＭ場エミッタは、周波数を動的に調整するように構成される、側面３または側面４に記載の頭部搭載型ディスプレイシステム。
【０１１４】
第６の側面では、周波数を動的に調整するために、ＥＭ場エミッタは、コンデンサの静電容量を変化させる、またはコンデンサバンク内の複数のコンデンサ間で選択するように構成される、側面５に記載の頭部搭載型ディスプレイシステム。
【０１１５】
第７の側面では、ＥＭ場エミッタは、第１の無線インターフェースを備え、ＥＭセンサは、第２の無線インターフェースおよびＴＤＭ回路を備え、ＥＭ場エミッタおよびＥＭセンサは、第１の無線インターフェースと第２の無線インターフェースとの間の無線リンクを確立し、無線リンクを経由して同期させるように構成される、側面３−６のうちのいずれか１項に記載の頭部搭載型ディスプレイシステム。
【０１１６】
第８の側面では、ＥＭ場エミッタは、ＥＭパルスをＥＭセンサに伝送するように構成され、ＥＭ場エミッタまたはＥＭセンサは、ＥＭ場エミッタクロックとＥＭセンサクロックとの間のタイミング差異を決定するように構成される、側面３−７のうちのいずれか１項に記載の頭部搭載型ディスプレイシステム。
【０１１７】
第９の側面では、ＥＭ場エミッタは、第１のコイルおよび第２のコイルを備え、ＥＭ場エミッタは、ＴＤＭタイミングプロトコルを適用するように構成され、第１のコイルは、第１の期間の間、伝送する一方、第２のコイルは、第１の期間の間、実質的に伝送せず、第２のコイルは、第１の期間と異なる、第２の期間の間、伝送する一方、第１のコイルは、第２の期間の間、実質的に伝送しない、側面７または側面８に記載の頭部搭載型ディスプレイシステム。
【０１１８】
第１０の側面では、ＥＭセンサは、第３の期間の間、その周波数における非意図的ＲＦ干渉を走査し、その周波数における非意図的ＲＦ干渉の存在の決定に応答して、その周波数と異なる代替周波数に切り替えるように構成される、側面７−９のうちのいずれか１項に記載の頭部搭載型ディスプレイシステム。
【０１１９】
第１１の側面では、ＥＭ場エミッタは、第３の期間の間、伝送を実質的に停止するように構成される、側面１０に記載の頭部搭載型ディスプレイシステム。
【０１２０】
第１２の側面では、ＥＭ場エミッタは、自動利得制御（ＡＧＣ）回路を備える、側面１−１１のうちのいずれか１項に記載の頭部搭載型ディスプレイシステム。
【０１２１】
第１３の側面では、ＥＭセンサは、ＡＧＣ回路を含まない、側面１２に記載の頭部搭載型ディスプレイシステム。
【０１２２】
第１４の側面では、ＥＭ場エミッタのＡＧＣ回路は、ＥＭセンサ内でコイルに関する電圧レベルを受信し、少なくとも部分的に、受信された電圧レベルに基づいて、ＥＭ場エミッタの増幅段に関する利得を調節するように構成される、側面１２または側面１３に記載の頭部搭載型ディスプレイシステム。
【０１２３】
第１５の側面では、頭部搭載型ディスプレイシステムはさらに、オーディオスピーカを備え、ＥＭセンサは、ノイズキャンセル回路を備える、側面１−１４のうちのいずれか１項に記載の頭部搭載型ディスプレイシステム。
【０１２４】
第１６の側面では、ノイズキャンセル回路は、第１の信号をＥＭセンサから受信し、第２の信号をオーディオスピーカから受信し、第１の信号および第２の信号を組み合わせ、ノイズキャンセル信号を提供するように構成される、側面１５に記載の頭部搭載型ディスプレイシステム。
【０１２５】
第１７の側面では、第１の信号および第２の信号を組み合わせるために、ノイズキャンセル回路は、（ａ）第２の信号を反転させ、反転された第２の信号を第１の信号に追加する、または（ｂ）第２の信号を第１の信号から減算するように構成される、側面１６に記載の頭部搭載型ディスプレイシステム。
【０１２６】
第１８の側面では、ユーザ入力トーテムをさらに備え、ユーザ入力トーテムは、ＥＭ場エミッタを備える、側面１−１７のうちのいずれか１項に記載の頭部搭載型ディスプレイシステム。
【０１２７】
第１９の側面では、電磁（ＥＭ）追跡システムは、第１の周波数を有する第１の磁場を生成するように構成される、第１の送信機コイルと、第２の周波数を有する第２の磁場を生成するように構成される、第２の送信機コイルと、第３の周波数を有する第３の磁場を生成するように構成される、第３の送信機コイルとを備える、ＥＭ場エミッタを備え、ＥＭ場エミッタは、第１の送信機コイル、第２の送信機コイル、および第３の送信機コイル間で電力を切り替えるように構成される、第１の時分割多重化（ＴＤＭ）回路を備える。
【０１２８】
第２０の側面では、第１の送信機コイル、第２の送信機コイル、および第３の送信機コイルは、相互に直交軸に沿ってともに配置される、側面１９に記載のＥＭ追跡システム。
【０１２９】
第２１の側面では、ＥＭ場エミッタは、第１の周波数、第２の周波数、または第３の周波数を動的に調整するように構成される、側面１９または側面２０に記載のＥＭ追跡システム。
【０１３０】
第２２の側面では、第１、第２、または第３の周波数を動的に調整し、ＥＭ場エミッタは、コンデンサの静電容量を変化させるために、またはコンデンサバンク内の複数のコンデンサ間で選択するように構成される、側面１９−２１のうちのいずれか１項に記載のＥＭ追跡システム。
【０１３１】
第２３の側面では、ＥＭ場エミッタは、自動利得制御（ＡＧＣ）回路とともに構成される、側面１９−２２のうちのいずれか１項に記載のＥＭ追跡システム。
【０１３２】
第２４の側面では、ＡＧＣ回路は、デジタル信号プロセッサ（ＤＳＰ）と増幅段との間の制御ループを備える、側面２３に記載のＥＭ追跡システム。
【０１３３】
第２５の側面では、ＥＭ場エミッタは、ＥＭセンサ内のコイルに関する電圧レベルを受信し、少なくとも部分的に、受信された電圧レベルに基づいて、ＥＭ場エミッタの増幅段に関する利得を調節するように構成される、側面２３または側面２４に記載のＥＭ追跡システム。
【０１３４】
第２６の側面では、第１の周波数を有する第１の磁場を感知するように構成される第１の受信機コイルと、第２の周波数を有する第２の磁場を感知するように構成される第２の受信機コイルと、第３の周波数を有する第３の磁場を感知するように構成される第３の受信機コイルとを備える、ＥＭセンサをさらに備え、ＥＭ場センサは、第１の受信機コイル、第２の受信機コイル、および第３の受信機コイル間で電力を切り替えるように構成される、第２の時分割多重化（ＴＤＭ）回路を備える、側面１９−２５のうちのいずれか１項に記載のＥＭ追跡システム。
【０１３５】
第２７の側面では、ＥＭ追跡システムは、ＥＭ場エミッタとＥＭセンサとの間の無線リンクを介して、ＥＭ場エミッタおよびＥＭセンサを同期させるように構成される、側面２６に記載のＥＭ追跡システム。
【０１３６】
第２８の側面では、ＥＭ場エミッタは、ＥＭパルスをＥＭセンサに伝送するように構成され、ＥＭ場エミッタまたはＥＭセンサは、ＥＭ場エミッタクロックとＥＭセンサクロックとの間のタイミング差異を決定するように構成される、側面２７に記載のＥＭ追跡システム。
【０１３７】
第２９の側面では、第１の期間の間、第１の送信機コイルは、第１の周波数を有する第１の磁場を生成するように構成され、その間、第２の送信機コイルおよび第３の送信機コイルは、個別の第２の磁場および第３の磁場を実質的に伝送せず、第１の受信機コイル、ＥＭセンサの第２の受信機コイル、および第３の受信機コイルは、連続してアクティブ化されるように構成される、側面２６−２８のうちのいずれか１項に記載のＥＭ追跡システム。
【０１３８】
第３０の側面では、第１の期間に続く第２の期間の間、第２の送信機コイルは、第２の周波数を有する第２の磁場を生成するように構成され、その間、第１の送信機コイルおよび第３の送信機コイルは、個別の第１の磁場および第３の磁場を実質的に伝送しないように構成され、ＥＭセンサの第１の受信機コイル、第２の受信機コイル、および第３の受信機コイルは、連続してアクティブ化されるように構成される、側面２９に記載のＥＭ追跡システム。
【０１３９】
第３１の側面では、ＥＭセンサは、使用時、周波数を走査するように構成される、側面２６−３０のうちのいずれか１項に記載のＥＭ追跡システム。
【０１４０】
第３２の側面では、第３の期間の間、第１の送信機コイルは、第１の磁場を実質的に伝送しないように構成され、第１の受信機コイルは、アクティブ化され、第１の周波数における干渉の存在を測定するように構成される、側面３１に記載のＥＭ追跡システム。
【０１４１】
第３３の側面では、第１の周波数における干渉の検出に応答して、ＥＭ追跡システムは、第１の周波数を異なる周波数に変化させるように構成される、側面３２に記載のＥＭ追跡システム。
【０１４２】
第３４の側面では、ＥＭセンサは、磁気干渉源を表す干渉信号を受信し、少なくとも部分的に、干渉信号をキャンセルし、実質的に磁気干渉源のないセンサ信号を出力するように構成される、側面２６−３３のうちのいずれか１項に記載のＥＭ追跡システム。
【０１４３】
第３５の側面では、電磁（ＥＭ）追跡システムは、自動利得制御（ＡＧＣ）回路および送信機コイルを備えるＥＭ場エミッタと、ＡＧＣ回路を伴わないＥＭセンサとを備え、ＥＭセンサは、センサコイルを備える。
【０１４４】
第３６の側面では、ＥＭセンサは、センサコイル信号レベルをＥＭ場エミッタに無線で通信するように構成され、ＥＭ場エミッタは、少なくとも部分的に、センサコイル信号レベルに基づいて、送信機コイルの利得を調節するように構成される、側面３５に記載のＥＭ追跡システム。
【０１４５】
第３７の側面では、ＥＭ場エミッタは、送信機コイルによって放出される無線周波数を動的に調節するように構成される、側面３５または側面３６に記載のＥＭ追跡システム。
【０１４６】
第３８の側面では、ＥＭ場エミッタおよびＥＭセンサは、時分割多重化を使用して動作するように構成される、側面３５−３７のうちのいずれか１項に記載のＥＭ追跡システム。
【０１４７】
第３９の側面では、ＥＭセンサは、磁気干渉源を表す干渉信号を受信し、少なくとも部分的に、干渉信号をキャンセルし、実質的に磁気干渉源のないセンサ信号を出力するように構成される、側面３５−３８のうちのいずれか１項に記載のＥＭ追跡システム。
【０１４８】
第４０の側面では、側面３５−３９のうちのいずれか１項に記載のＥＭ追跡システムを備える、頭部搭載型拡張現実（ＡＲ）ディスプレイデバイス。
【０１４９】
第４１の側面では、ＥＭセンサは、ＡＲディスプレイデバイスのフレーム上に配置される、側面４０に記載の頭部搭載型ＡＲディスプレイデバイス。
【０１５０】
第４２の側面では、ＥＭ場エミッタは、ハンドヘルドユーザ入力トーテム内に配置される、側面４０または側面４１に記載の頭部搭載型ＡＲディスプレイデバイス。
【０１５１】
第４３の側面では、拡張現実ディスプレイシステムは、仮想画像を装着者の眼に投影するように構成される、ディスプレイと、ディスプレイを装着者の眼の正面に搭載するように構成される、フレームと、磁場を生成するように構成される、電磁（ＥＭ）場エミッタと、磁場を感知するように構成される、ＥＭセンサであって、ＥＭ場エミッタまたはＥＭセンサのうちの一方は、フレームに機械的に結合され、ＥＭ場エミッタまたはＥＭセンサのうちの他方は、フレームに対して独立して移動可能な拡張現実ディスプレイシステムのコンポーネントに機械的に結合される、ＥＭセンサと、ＥＭセンサから、感知された磁場を示す信号を受信し、および受信された信号を分析し、ＥＭセンサの位置または配向を決定するようにプログラムされる、ハードウェアプロセッサとを備える。
【０１５２】
第４４の側面では、ディスプレイは、ライトフィールドディスプレイを備える、側面４３に記載の拡張現実ディスプレイシステム。
【０１５３】
第４５の側面では、コンポーネントは、ユーザ入力トーテムまたはベルトパックを備え、ＥＭセンサは、フレームに機械的に結合され、ＥＭ場エミッタは、ユーザ入力トーテムまたはベルトパックに機械的に結合される、側面４３または側面４４に記載の拡張現実ディスプレイシステム。
【０１５４】
第４６の側面では、オーディオスピーカをさらに備え、拡張現実ディスプレイシステムは、オーディオスピーカによって生成された感知される磁場における磁気干渉をキャンセルするように構成される、ノイズキャンセル回路を備える、側面４３−４５のうちのいずれか１項に記載の拡張現実ディスプレイシステム。オーディオスピーカは、フレームに機械的に結合されてもよい。
【０１５５】
第４７の側面では、ノイズキャンセル回路は、第１の信号をＥＭセンサから受信し、第２の信号をオーディオスピーカから受信し、第１の信号および第２の信号を組み合わせ、ノイズキャンセル信号を提供するように構成される、側面４６に記載の拡張現実ディスプレイシステム。
【０１５６】
第４８の側面では、第１の信号および第２の信号を組み合わせるために、ノイズキャンセル回路は、（ａ）第２の信号を反転させ、反転された第２の信号を第１の信号に追加する、または（ｂ）第２の信号を第１の信号から減算するように構成される、側面４７に記載の拡張現実ディスプレイシステム。
【０１５７】
第４９の側面では、ＥＭ場エミッタは、第１の周波数を有する第１の磁場を生成するように構成される、第１の送信機コイルと、第２の周波数を有する第２の磁場を生成するように構成される、第２の送信機コイルと、それぞれ、第１の送信機コイルと第２の送信機コイルとの間で電力を切り替えるように構成される、時分割多重化（ＴＤＭ）回路とを備える、側面４３−４８のうちのいずれか１項に記載の拡張現実ディスプレイシステム。
【０１５８】
第５０の側面では、ＴＤＭ回路は、第１および第２の送信機コイルのそれぞれにＴＤＭ切替される、単一増幅器回路を備える、側面４９に記載の拡張現実ディスプレイシステム。
【０１５９】
第５１の側面では、第１の送信機コイルおよび第２の送信機コイルは、相互に直交軸に沿って配置される、側面４９または側面５０に記載の拡張現実ディスプレイシステム。
【０１６０】
第５２の側面では、ＥＭ場エミッタは、第１の周波数または第２の周波数を動的に調整するように構成される、側面４３−５１のうちのいずれか１項に記載の拡張現実ディスプレイシステム。
【０１６１】
第５３の側面では、第１の周波数または第２の周波数を動的に調整するために、ＥＭ場エミッタは、コンデンサの静電容量を変化させる、またはコンデンサバンク内の複数のコンデンサ間で選択するように構成される、側面５２に記載の拡張現実ディスプレイシステム。
【０１６２】
第５４の側面では、ＥＭ場エミッタは、第１の無線インターフェースを備え、ＥＭセンサは、第２の無線インターフェースおよび第２のＴＤＭ回路を備え、ＥＭ場エミッタおよびＥＭセンサは、第１の無線インターフェースと第２の無線インターフェースとの間の無線リンクを確立し、無線リンクを経由して、ＥＭ場エミッタクロックとＥＭセンサクロックのタイミングを同期させるように構成される、側面４３−５３のうちのいずれか１項に記載の拡張現実ディスプレイシステム。
【０１６３】
第５５の側面では、ＥＭ場エミッタは、ＥＭパルスをＥＭセンサに伝送するように構成され、ＥＭ場エミッタまたはＥＭセンサは、ＥＭ場エミッタクロックとＥＭセンサクロックとの間のタイミング差異を決定するように構成される、側面４３−５４のうちのいずれか１項に記載の拡張現実ディスプレイシステム。別の側面では、側面４３−５４のうちのいずれか１項に記載のＡＲディスプレイシステムは、ＥＭ場エミッタが、音響発生器を備え、ＥＭセンサが、音響センサを備えるように構成されてもよい。ＡＲディスプレイシステムは、少なくとも部分的に、音響信号と電磁信号との間の測定された遅延に基づいて、エミッタとセンサとの間の第１の距離の飛行時間を決定するように構成されてもよい。ＡＲディスプレイシステムはさらに、少なくとも部分的に、電磁信号の振幅に基づいて、エミッタとセンサとの間の第２の距離を決定するように構成されてもよい。ＡＲディスプレイシステムはさらに、少なくとも部分的に、第１の距離と第２の距離の比較に基づいて、システムを較正するように構成されてもよい。
【０１６４】
第５６の側面では、ＥＭ場エミッタは、ＴＤＭタイミングプロトコルを適用するように構成され、第１の送信機コイルは、第１の期間の間、伝送する一方、第２の送信機コイルは、第１の期間の間、実質的に伝送せず、第２の送信機コイルは、第１の期間と異なる、第２の期間の間、伝送する一方、第１の送信機コイルは、第２の期間の間、実質的に伝送しない、側面４９−５５のうちのいずれか１項に記載の拡張現実ディスプレイシステム。
【０１６５】
第５７の側面では、ＥＭ場エミッタは、第１の周波数において磁場を生成するように構成され、ＥＭセンサは、第１の周波数において非意図的無線周波数（ＲＦ）干渉を走査し、第１の周波数における非意図的ＲＦ干渉の存在の決定に応答して、第１の周波数と異なる第２の周波数に切り替えるように構成される、側面４３−５６のうちのいずれか１項に記載の拡張現実ディスプレイシステム。
【０１６６】
第５８の側面では、ＥＭ場エミッタは、自動利得制御（ＡＧＣ）回路を備え、ＥＭセンサ内でコイルに関する電圧レベルを受信し、少なくとも部分的に、受信された電圧レベルに基づいて、ＥＭ場エミッタの増幅段に関する利得を調節するように構成される、側面４３−５７のうちのいずれか１項に記載の拡張現実ディスプレイシステム。
【０１６７】
第５９の側面では、ＡＲディスプレイシステムが、頭部搭載型ＡＲディスプレイと、ＥＭエミッタと、ＥＭセンサを備える、ポータブルユーザ入力デバイスとを備える、拡張現実（ＡＲ）ディスプレイシステムのための電磁（ＥＭ）追跡システムを動作させる方法が、提供される。本方法は、ポータブルユーザ入力デバイス内のＥＭエミッタによって、時変磁場を放出するステップと、ＥＭセンサによって、時変磁場を検出するステップと、少なくとも部分的に、検出された磁場に基づいて、ＥＭセンサの姿勢を決定するステップと、少なくとも部分的に、決定された姿勢に基づいて、ＡＲディスプレイシステムのユーザに表示するための仮想コンテンツを決定するステップと、頭部搭載型ＡＲディスプレイによって、仮想コンテンツを表示するステップとを含む。頭部搭載型ＡＲディスプレイは、ライトフィールドディスプレイを備えてもよい。
【０１６８】
第６０の側面では、ＥＭエミッタおよびＥＭセンサを時間同期させるステップをさらに含む、側面５９に記載の方法。
【０１６９】
第６１の側面では、検出された磁場からの磁気干渉をキャンセルするステップをさらに含む、側面５９または側面６０に記載の方法。
【０１７０】
第６２の側面では、ＥＭセンサの姿勢と関連付けられた実世界座標と仮想コンテンツと関連付けられた仮想世界座標を相関させるステップをさらに含む、側面５９−６１のいずれか１項に記載の方法。
【０１７１】
第６３の側面では、側面５９−６２のいずれか１項に記載の方法に従って動作される、ＡＲディスプレイシステム。ＡＲディスプレイシステムは、ライトフィールドディスプレイを備えてもよい。
付加的考慮点
【０１７２】
本明細書に説明される、および／または添付される図に描写されるプロセス、方法、およびアルゴリズムはそれぞれ、具体的かつ特定のコンピュータ命令を実行するように構成される、１つ以上の物理的コンピューティングシステム、ハードウェアコンピュータプロセッサ、特定用途向け回路、および／または電子ハードウェアによって実行される、コードモジュールにおいて具現化され、それによって完全または部分的に自動化され得る。例えば、コンピューティングシステムは、具体的コンピュータ命令とともにプログラムされた汎用コンピュータ（例えば、サーバ）または専用コンピュータ、専用回路等を含むことができる。コードモジュールは、実行可能プログラムにコンパイルおよびリンクされ得る、動的リンクライブラリ内にインストールされ得る、または解釈されるプログラミング言語において書き込まれ得る。いくつかの実装では、特定の動作および方法が、所与の機能に特有の回路によって実施され得る。
【０１７３】
さらに、本開示の機能性のある実装は、十分に数学的、コンピュータ的、または技術的に複雑であるため、（適切な特殊化された実行可能命令を利用する）特定用途向けハードウェアまたは１つまたはそれを上回る物理的コンピューティングデバイスは、例えば、関与する計算の量または複雑性に起因して、または結果を実質的にリアルタイムで提供するために、機能性を実施する必要があり得る。例えば、ビデオは、多くのフレームを含み、各フレームは、数百万のピクセルを有し得、具体的にプログラムされたコンピュータハードウェアは、商業的に妥当な時間量において所望の画像処理タスクまたは用途を提供するようにビデオデータを処理する必要がある。
【０１７４】
コードモジュールまたは任意のタイプのデータは、ハードドライブ、ソリッドステートメモリ、ランダムアクセスメモリ（ＲＡＭ）、読取専用メモリ（ＲＯＭ）、光学ディスク、揮発性または不揮発性記憶装置、同一物の組み合わせ、および／または同等物を含む、物理的コンピュータ記憶装置等の任意のタイプの非一過性コンピュータ可読媒体上に記憶され得る。本方法およびモジュール（またはデータ）はまた、無線ベースおよび有線／ケーブルベースの媒体を含む、種々のコンピュータ可読伝送媒体上で生成されたデータ信号として（例えば、搬送波または他のアナログまたはデジタル伝搬信号の一部として）伝送され得、種々の形態（例えば、単一または多重化アナログ信号の一部として、または複数の離散デジタルパケットまたはフレームとして）をとり得る。開示されるプロセスまたはプロセスステップの結果は、任意のタイプの非一過性有形コンピュータ記憶装置内に持続的または別様に記憶され得る、またはコンピュータ可読伝送媒体を介して通信され得る。
【０１７５】
本明細書に説明される、および／または添付される図に描写されるフロー図における任意のプロセス、ブロック、状態、ステップ、または機能性は、プロセスにおいて具体的機能（例えば、論理または算術）またはステップを実装するための１つまたはそれを上回る実行可能命令を含む、コードモジュール、セグメント、またはコードの一部を潜在的に表すものとして理解されたい。種々のプロセス、ブロック、状態、ステップ、または機能性は、組み合わせられる、再配列される、追加される、削除される、修正される、または別様に本明細書に提供される例証的実施例から変更されることができる。いくつかの実施形態では、付加的または異なるコンピューティングシステムまたはコードモジュールが、本明細書に説明される機能性のいくつかまたは全てを実施し得る。本明細書に説明される方法およびプロセスはまた、任意の特定のシーケンスに限定されず、それに関連するブロック、ステップ、または状態は、適切な他のシーケンスで、例えば、連続して、並行して、またはある他の様式で実施されることができる。タスクまたはイベントが、開示される例示的実施形態に追加される、またはそれから除去され得る。さらに、本明細書に説明される実装における種々のシステムコンポーネントの分離は、例証を目的とし、全ての実装においてそのような分離を要求するものとして理解されるべきではない。説明されるプログラムコンポーネント、方法、およびシステムは、概して、単一のコンピュータ製品においてともに統合される、または複数のコンピュータ製品にパッケージ化され得ることを理解されたい。多くの実装変形例が、可能である。
【０１７６】
本プロセス、方法、およびシステムは、ネットワーク（または分散）コンピューティング環境において実装され得る。ネットワーク環境は、企業全体コンピュータネットワーク、イントラネット、ローカルエリアネットワーク（ＬＡＮ）、広域ネットワーク（ＷＡＮ）、パーソナルエリアネットワーク（ＰＡＮ）、クラウドコンピューティングネットワーク、クラウドソースコンピューティングネットワーク、インターネット、およびワールドワイドウェブを含む。ネットワークは、有線または無線ネットワークまたは任意の他のタイプの通信ネットワークであり得る。
【０１７７】
本発明は、対象デバイスを使用して行われ得る方法を含む。方法は、そのような好適なデバイスを提供するという行為を含んでもよい。そのような提供は、エンドユーザによって行われてもよい。換言すれば、「提供する」行為は、単に、エンドユーザが、対象方法において必須デバイスを提供するように、取得し、アクセスし、接近し、位置付けし、設定し、起動し、電源を入れ、または別様に作用することを要求する。本明細書で記載される方法は、論理的に可能である記載された事象の任意の順番で、および事象の記載された順番で実行されてもよい。
【０１７８】
本開示のシステムおよび方法は、それぞれ、いくつかの革新的側面を有し、そのうちのいかなるものも、本明細書に開示される望ましい属性に単独で関与しない、またはそのために要求されない。上記に説明される種々の特徴およびプロセスは、相互に独立して使用され得る、または種々の方法で組み合わせられ得る。全ての可能な組み合わせおよび副次的組み合わせが、本開示の範囲内に該当することが意図される。本開示に説明される実装の種々の修正が、当業者に容易に明白であり得、本明細書に定義される一般原理は、本開示の精神または範囲から逸脱することなく、他の実装に適用され得る。したがって、請求項は、本明細書に示される実装に限定されることを意図されず、本明細書に開示される本開示、原理、および新規の特徴と一貫する最も広い範囲を与えられるべきである。
【０１７９】
別個の実装の文脈において本明細書に説明されるある特徴はまた、単一の実装における組み合わせにおいて実装されることができる。逆に、単一の実装の文脈において説明される種々の特徴もまた、複数の実装において別個に、または任意の好適な副次的組み合わせにおいて実装されることができる。さらに、特徴がある組み合わせにおいて作用するものとして上記に説明され、さらに、そのようなものとして最初に請求され得るが、請求される組み合わせからの１つ以上の特徴は、いくつかの場合では、組み合わせから削除されることができ、請求される組み合わせは、副次的組み合わせまたは副次的組み合わせのバリエーションを対象とし得る。いかなる単一の特徴または特徴のグループも、あらゆる実施形態に必要または必須ではない。
【０１８０】
とりわけ、「〜できる（ｃａｎ）」、「〜し得る（ｃｏｕｌｄ）」、「〜し得る（ｍｉｇｈｔ）」、「〜し得る（ｍａｙ）」、「例えば（ｅ．ｇ．，）」、および同等物等、本明細書で使用される条件文は、別様に具体的に記載されない限り、または使用されるような文脈内で別様に理解されない限り、概して、ある実施形態がある特徴、要素、および／またはステップを含む一方、他の実施形態がそれらを含まないことを伝えることが意図される。したがって、そのような条件文は、概して、特徴、要素、および／またはステップが、１つまたはそれを上回る実施形態に対していかようにも要求されること、または１つまたはそれを上回る実施形態が、著者の入力または促しの有無を問わず、これらの特徴、要素、および／またはステップが任意の特定の実施形態において含まれる、または実施されるべきかどうかを決定するための論理を必然的に含むことを示唆することを意図されない。用語「〜を備える」、「〜を含む」、「〜を有する」、および同等物は、同義語であり、非限定的方式で包括的に使用され、付加的要素、特徴、行為、動作等を除外しない。また、用語「または」は、その包括的意味において使用され（およびその排他的意味において使用されず）、したがって、例えば、要素のリストを接続するために使用されると、用語「または」は、リスト内の要素のうちの１つ、いくつか、または全てを意味する。加えて、本願および添付される請求項で使用されるような冠詞「ａ」、「ａｎ」、および「ｔｈｅ」は、別様に規定されない限り、「１つ以上の」または「少なくとも１つ」を意味するように解釈されるべきである。本明細書で具体的に定義されないことを除いて、本明細書で使用される全ての技術的および科学的用語は、請求項の妥当性を維持されながら、可能な限り広義に一般的に理解される意味を与えられるべきである。
【０１８１】
本明細書で使用されるように、項目のリスト「のうちの少なくとも１つ」を指す語句は、単一の要素を含む、それらの項目の任意の組み合わせを指す。ある実施例として、「Ａ、Ｂ、またはＣのうちの少なくとも１つ」は、Ａ、Ｂ、Ｃ、ＡおよびＢ、ＡおよびＣ、ＢおよびＣ、ならびにＡ、Ｂ、およびＣを網羅することが意図される。語句「Ｘ、Ｙ、およびＺのうちの少なくとも１つ」等の接続文は、別様に具体的に記載されない限り、概して、項目、用語等がＸ、Ｙ、またはＺのうちの少なくとも１つであり得ることを伝えるために使用されるような文脈で別様に理解される。したがって、そのような接続文は、概して、ある実施形態が、Ｘのうちの少なくとも１つ、Ｙのうちの少なくとも１つ、およびＺのうちの少なくとも１つがそれぞれ存在するように要求することを示唆することを意図されない。
【０１８２】
同様に、動作は、特定の順序で図面に描写され得るが、これは、望ましい結果を達成するために、そのような動作が示される特定の順序で、または連続的順序で実施されること、または全ての図示される動作が実施されることの必要はないと認識されるべきである。さらに、図面は、フローチャートの形態で１つ以上の例示的プロセスを図式的に描写し得る。しかしながら、描写されない他の動作も、図式的に図示される例示的方法およびプロセス内に組み込まれることができる。例えば、１つ以上の付加的動作が、図示される動作のいずれかの前に、その後に、それと同時に、またはその間に実施されることができる。加えて、動作は、他の実装において再配列される、または再順序付けられ得る。ある状況では、マルチタスクおよび並列処理が、有利であり得る。さらに、上記に説明される実装における種々のシステムコンポーネントの分離は、全ての実装におけるそのような分離を要求するものとして理解されるべきではなく、説明されるプログラムコンポーネントおよびシステムは、概して、単一のソフトウェア製品においてともに統合される、または複数のソフトウェア製品にパッケージ化され得ることを理解されたい。加えて、他の実装も、以下の請求項の範囲内である。いくつかの場合では、請求項に列挙されるアクションは、異なる順序で実施され、依然として、望ましい結果を達成することができる。
（項目１）
拡張現実ディスプレイシステムであって、
仮想画像を装着者の眼に投影するように構成されるディスプレイと、
上記ディスプレイを上記装着者の眼の正面に搭載するように構成されるフレームと、
磁場を生成するように構成される電磁（ＥＭ）場エミッタと、
上記磁場を感知するように構成されるＥＭセンサであって、上記ＥＭ場エミッタまたは上記ＥＭセンサのうちの一方は、上記フレームに機械的に結合され、上記ＥＭ場エミッタまたは上記ＥＭセンサのうちの他方は、上記フレームに対して独立して移動可能な上記拡張現実ディスプレイシステムのコンポーネントに機械的に結合される、ＥＭセンサと、
ハードウェアプロセッサであって、
上記ＥＭセンサから、感知された磁場を示す信号を受信することと、
上記受信された信号を分析し、上記ＥＭセンサの位置または配向を決定することと
を行うようにプログラムされる、ハードウェアプロセッサと
を備える、拡張現実ディスプレイシステム。
（項目２）
上記ディスプレイは、ライトフィールドディスプレイを備える、項目１に記載の拡張現実ディスプレイシステム。
（項目３）
上記コンポーネントは、ユーザ入力トーテムまたはベルトパックを備え、
上記ＥＭセンサは、上記フレームに機械的に結合され、
上記ＥＭ場エミッタは、上記ユーザ入力トーテムまたは上記ベルトパックに機械的に結合される、
項目１に記載の拡張現実ディスプレイシステム。
（項目４）
オーディオスピーカをさらに備え、
上記拡張現実ディスプレイシステムは、上記オーディオスピーカによって生成された感知される磁場における磁気干渉をキャンセルするように構成されるノイズキャンセル回路を備える、
項目１に記載の拡張現実ディスプレイシステム。
（項目５）
上記ノイズキャンセル回路は、
第１の信号を上記ＥＭセンサから受信することと、
第２の信号を上記オーディオスピーカから受信することと、
上記第１の信号および上記第２の信号を組み合わせ、ノイズキャンセル信号を提供することと
を行うように構成される、項目４に記載の拡張現実ディスプレイシステム。
（項目６）
上記第１の信号および上記第２の信号を組み合わせるために、上記ノイズキャンセル回路は、（ａ）上記第２の信号を反転させ、上記反転された第２の信号を上記第１の信号に追加すること、または（ｂ）上記第２の信号を上記第１の信号から減算することを行うように構成される、項目５に記載の拡張現実ディスプレイシステム。
（項目７）
上記ＥＭ場エミッタは、
第１の周波数を有する第１の磁場を生成するように構成される第１の送信機コイルと、
第２の周波数を有する第２の磁場を生成するように構成される第２の送信機コイルと、
それぞれ、上記第１の送信機コイルと上記第２の送信機コイルとの間で電力を切り替えるように構成される、時分割多重化（ＴＤＭ）回路と
を備える、項目１に記載の拡張現実ディスプレイシステム。
（項目８）
上記ＴＤＭ回路は、上記第１および第２の送信機コイルのそれぞれにＴＤＭ切替される、単一増幅器回路を備える、項目７に記載の拡張現実ディスプレイシステム。
（項目９）
上記第１の送信機コイルおよび上記第２の送信機コイルは、相互に直交軸に沿って配置される、項目７に記載の拡張現実ディスプレイシステム。
（項目１０）
上記ＥＭ場エミッタは、上記第１の周波数または上記第２の周波数を動的に調整するように構成される、項目７に記載の拡張現実ディスプレイシステム。
（項目１１）
上記第１の周波数または上記第２の周波数を動的に調整するために、上記ＥＭ場エミッタは、コンデンサの静電容量を変化させるかまたはコンデンサバンク内の複数のコンデンサ間で選択するように構成される、項目１０に記載の拡張現実ディスプレイシステム。
（項目１２）
上記ＥＭ場エミッタは、第１の無線インターフェースを備え、上記ＥＭセンサは、第２の無線インターフェースおよび第２のＴＤＭ回路を備え、上記ＥＭ場エミッタおよび上記ＥＭセンサは、
上記第１の無線インターフェースと上記第２の無線インターフェースとの間の無線リンクを確立することと、
上記無線リンクを経由して、ＥＭ場エミッタクロックとＥＭセンサクロックのタイミングを同期させることと
を行うように構成される、項目７に記載の拡張現実ディスプレイシステム。
（項目１３）
上記ＥＭ場エミッタは、ＥＭパルスを上記ＥＭセンサに伝送するように構成され、上記ＥＭ場エミッタまたは上記ＥＭセンサは、ＥＭ場エミッタクロックとＥＭセンサクロックとの間のタイミング差異を決定するように構成される、項目７に記載の拡張現実ディスプレイシステム。
（項目１４）
上記ＥＭ場エミッタは、ＴＤＭタイミングプロトコルを適用するように構成され、
上記第１の送信機コイルは、第１の期間の間、伝送する一方、上記第２の送信機コイルは、上記第１の期間の間、実質的に伝送せず、
上記第２の送信機コイルは、上記第１の期間と異なる、第２の期間の間、伝送する一方、上記第１の送信機コイルは、上記第２の期間の間、実質的に伝送しない、項目７に記載の拡張現実ディスプレイシステム。
（項目１５）
上記ＥＭ場エミッタは、第１の周波数において上記磁場を生成するように構成され、上記ＥＭセンサは、
上記第１の周波数において非意図的無線周波数（ＲＦ）干渉を走査することと、
上記第１の周波数における非意図的ＲＦ干渉の存在の決定に応答して、上記第１の周波数と異なる第２の周波数に切り替えることと
を行うように構成される、項目１に記載の拡張現実ディスプレイシステム。
（項目１６）
上記ＥＭ場エミッタは、
自動利得制御（ＡＧＣ）回路であって、
上記ＥＭセンサ内でコイルに関する電圧レベルを受信することと、
少なくとも部分的に、上記受信された電圧レベルに基づいて、上記ＥＭ場エミッタの増幅段に関する利得を調節することと
を行うように構成される、自動利得制御（ＡＧＣ）回路
を備える、項目１に記載の拡張現実ディスプレイシステム。
（項目１７）
拡張現実（ＡＲ）ディスプレイシステムのための電磁（ＥＭ）追跡システムを動作させる方法であって、上記ＡＲディスプレイシステムは、頭部搭載型ＡＲディスプレイと、ＥＭエミッタと、ＥＭセンサを備えるポータブルユーザ入力デバイスとを備え、上記方法は、
上記ポータブルユーザ入力デバイス内のＥＭエミッタによって、時変磁場を放出することと、
上記ＥＭセンサによって、上記時変磁場を検出することと、
少なくとも部分的に、上記検出された磁場に基づいて、上記ＥＭセンサの姿勢を決定することと、
少なくとも部分的に、上記決定された姿勢に基づいて、上記ＡＲディスプレイシステムのユーザに表示するための仮想コンテンツを決定することと、
上記頭部搭載型ＡＲディスプレイによって、上記仮想コンテンツを表示することと
を含む、方法。
（項目１８）
上記ＥＭエミッタおよび上記ＥＭセンサを時間同期させることをさらに含む、項目１７に記載の方法。
（項目１９）
上記検出された磁場からの磁気干渉をキャンセルすることをさらに含む、項目１７に記載の方法。
（項目２０）
上記ＥＭセンサの姿勢と関連付けられた実世界座標と上記仮想コンテンツと関連付けられた仮想世界座標を相関させることをさらに含む、項目１７に記載の方法。
【図１】
2019522832.tif 000004
【図２Ａ】
2019522832.tif 000005
【図２Ｂ】
2019522832.tif 000006
【図２Ｃ】
2019522832.tif 000007
【図２Ｄ】
2019522832.tif 000008
【図３】
2019522832.tif 000009
【図４】
2019522832.tif 000010
【図５】
2019522832.tif 000011
【図６】
2019522832.tif 000012
【図７】
2019522832.tif 000013
【図８】
2019522832.tif 000014
【図９Ａ】
2019522832.tif 000015
【図９Ｂ】
2019522832.tif 000016
【図９Ｃ】
2019522832.tif 000017
【図９Ｄ】
2019522832.tif 000018
【図９Ｅ】
2019522832.tif 000019
【図９Ｆ】
2019522832.tif 000020
【図１０】
2019522832.tif 000021
【図１１Ａ】
2019522832.tif 000022
【図１１Ｂ】
2019522832.tif 000023
【図１２Ａ】
2019522832.tif 000024
【図１２Ｂ】
2019522832.tif 000025
【図１２Ｃ】
2019522832.tif 000026
【図１２Ｄ】
2019522832.tif 000027
【図１２Ｅ】
2019522832.tif 000028
【図１３Ａ】
2019522832.tif 000029
【図１３Ｂ】
2019522832.tif 000030
【図１３Ｃ】
2019522832.tif 000031
【図１３Ｄ】
2019522832.tif 000032
【図１３Ｅ】
2019522832.tif 000033
【図１３Ｆ】
2019522832.tif 000034
【図１３Ｇ】
2019522832.tif 000035
【図１３Ｈ】
2019522832.tif 000036
【図１３Ｉ】
2019522832.tif 000037
【図１３Ｊ】
2019522832.tif 000038
【図１４】
2019522832.tif 000039
【図１５】
2019522832.tif 000040
【図１６Ａ】
2019522832.tif 000041
【図１６Ｂ】
2019522832.tif 000042
【図１７Ａ】
2019522832.tif 000043
【図１７Ｂ】
2019522832.tif 000044
【図１７Ｃ】
2019522832.tif 000045
【図１７Ｄ】
2019522832.tif 000046
【図１７Ｅ】
2019522832.tif 000047
【図１７Ｆ】
2019522832.tif 000048
【図１７Ｇ】
2019522832.tif 000049
【図１８Ａ】
2019522832.tif 000050
【図１８Ｂ】
2019522832.tif 000051
【図１８Ｃ】
2019522832.tif 000052
【図１８Ｄ】
2019522832.tif 000053
【図１９】
2019522832.tif 000054
【図２０Ａ】
2019522832.tif 000055
【図２０Ｂ】
2019522832.tif 000056
【図２０Ｃ】
2019522832.tif 000057
【図２１】
2019522832.tif 000058
【図２２Ａ】
2019522832.tif 000059
【図２２Ｂ】
2019522832.tif 000060
【図２２Ｃ】
2019522832.tif 000061
【図２３Ａ】
2019522832.tif 000062
【図２３Ｂ】
2019522832.tif 000063
【図２３Ｃ】
2019522832.tif 000064
【図２４Ａ】
2019522832.tif 000065
【図２４Ｂ】
2019522832.tif 000066
【図２４Ｃ】
2019522832.tif 000067
【図２４Ｄ】
2019522832.tif 000068
【図２５Ａ】
2019522832.tif 000069
【図２５Ｂ】
2019522832.tif 000070
【国際調査報告】
2019522832.tif 000071
2019522832.tif 000072